(57)【特許請求の範囲】
【請求項１】
水供給部と、
多孔質体から形成され、前記水供給部から水を受け取り、高電圧が印加されることで前記水を先端霧化部で霧化させる水印加電極と、を備えた静電霧化装置であって、
前記水印加電極は、前記水供給部から前記水を受け取って、前記水を前記先端霧化部に搬送する胴部を有し、
前記先端霧化部は、前記胴部の長辺の側面から突出するように前記胴部に接続される板状突起で、上面視で三角形状であり、
該三角形状の頂点で厚みのある先端が放電部となるとともに、
該先端が線状に尖った状態であって、その上端と下端に二つの角部を有し、
前記胴部は板状であって、該板状の胴部の厚みは、板状突起である前記先端霧化部の厚みと等しく、
前記胴部は矩形状であって、その短辺方向幅と、前記胴部の側面からの前記先端霧化部の突出高さと、が等しく、
前記胴部の前記先端霧化部が設けられた側の長辺に対して短辺二つは鈍角をなすように傾斜し、前記短辺二つの長辺の垂線に対する角度の合計が、前記先端霧化部が有する三角辺がなす角度と等しい
ことを特徴とする静電霧化装置。
【請求項２】
前記胴部は下面側を保持枠に保持されるとともに、前記胴部の上面側が、前記水印加電極が切断加工される際にバリが生じるバリ面であって、
前記保持枠が前記胴部の下面側から上面側に向かって傾斜しながら広がる、もしくは、前記胴部の上面側と前記保持枠の間に隙間が設けられていること特徴とする請求項１に記載の静電霧化装置。
【請求項３】
前記水印加電極は、前記胴部も板状で、該胴部がその下面側を保持枠に保持されるものであって、
多孔質体から形成される前記水印加電極の上面側の孔径が、下面側の孔径よりも大きいことを特徴とする請求項１に記載の静電霧化装置。
【請求項４】
前記水印加電極を形成する多孔質体が、三次元網目構造を有する発泡金属であることを特徴とする請求項１から３までのいずれかに記載の静電霧化装置。
【請求項５】
室内空気を吸い込む吸い込み口と、
この吸い込み口から吸い込まれた室内空気と冷凍サイクルの冷媒とを熱交換させ、室内空気から調和空気を生成する熱交換器と、
前記調和空気を室内へ吹き出す吹き出し口と、
空気流における前記吸い込み口の下流側であって、前記熱交換器の上流側に設置された請求項１から４までのいずれかに記載の静電霧化装置と、を備え、
前記吹き出し口から前記調和空気とともに、前記静電霧化装置が生成した静電ミストを室内に放出することを特徴とする空気調和機。
【発明の詳細な説明】
【技術分野】
【０００１】
この発明は、静電霧化現象によりナノメータサイズのミスト（微粒子水）を発生させる静電霧化装置、および静電霧化装置を搭載する空気調和機に関するものである。
【背景技術】
【０００２】
従来、水を搬送するセラミック多孔質体を水溜め部に直立させ、毛細管現象により水溜め部の水をその上端まで吸い上げさせ、そのセラミック多孔質体に高電圧を印加することで、針状に尖る上端にて、吸い上げた水を破砕して空気中に放出する静電霧化装置が提案されており、水溜め部にはユーザの給水が必要なものであった（例えば、特許文献１参照）。
【０００３】
また、金属棒自体を冷却して、空気中の水分を金属棒表面に直接結露させ、その金属棒に高電圧を印加することで、金属棒の先端に結露して付着している水を破砕して空気中に放出する、ユーザによる給水が不要な静電霧化装置が提案されている（例えば、特許文献２参照）。
【０００４】
さらに、特許文献２と同様に水供給部として冷却面（熱交換面）を備え、この冷却面上で結露して生成された結露水を保水する保水部を設け、この保水部にセラミック多孔質体を接触させ、保水部の水をセラミック多孔質体に毛細管現象で先端まで搬送させてミスト化する静電霧化装置が提案されている（例えば、特許文献３乃至５参照）。
【０００５】
水を高電圧によって破砕して生成されたミストは、粒径が３〜５０ｎｍ（ナノメートル＝１０−９メートル）程度で、人体の角質細胞の大きさより小さいため、人体の角質に浸透して肌に保湿効果を付与するものであり、さらに肌表面を親水化する作用も有している。また、高電圧によりミストは帯電しているため、電位差を生じる人に寄りやすくなっている。
【先行技術文献】
【特許文献】
【０００６】
【特許文献１】特開２００４−３５１２７６号公報
【特許文献２】特開２００６−６８７１１号公報
【特許文献３】特開２００７−１８１８３５号公報
【特許文献４】特開２００７−１８１８３６号公報
【特許文献５】特開２００７−１８１８３７号公報
【発明の概要】
【発明が解決しようとする課題】
【０００７】
従来の静電霧化装置としては、特許文献１に記載されているように、水溜め部に溜めた水をセラミック多孔質体で上端まで吸い上げさせていたが、セラミックは、内部の気孔率が低く、また気孔の径が小さいので、多孔質体ではあるが、内部は比較的目が詰まっている材料であるため、上端まで霧化する水を搬送するのに時間がかかり、静電霧化装置の運転開始からミスト発生までに時間がかかる、という課題があった。
【０００８】
また、特許文献２で開示されているようなユーザの給水の手間が不要な静電霧化装置にあっては、金属棒が、セラミック多孔質体のような細孔を有していないため、吸水作用も搬送作用も備えておらず、金属棒先端表面に結露する水分付着量だけでは、霧化量（発生するミスト量）が少量しか得られない、またミストの発生が安定的でない、という課題があった。
【０００９】
また、その他の特許文献３乃至５で開示される静電霧化装置では、冷却面で得られた結露水を保水する保水部材と水搬送体であるセラミック多孔質体とを接触させても、両者間での水の受け渡しがスムーズに行われず、保水部から水搬送体に水（結露水）が移動し難くなって、水搬送体の搬送量が少なくなり霧化量（発生するミスト量）が少量しか得られない、またミストの発生が安定的でない、という課題があった。
【００１０】
また、水供給部にペルチェユニット等を使用して、霧化する水を空気中の水分を結露させることで得るようにしたものでは、ペルチェユニットの放熱部の影響や配置の仕方によって、ペルチェユニットの冷却能力が十分に得られず、ミストを発生するのに十分な結露水を長期に渡って得ることができなかった。
【００１１】
この発明は、上記のような課題を解決するためになされたもので、水供給部から供給された水を早く確実に水印加電極の先端霧化部に導くことができ、安定して多くの量の静電ミストが得られるとともに、長期に渡って確実に水が得られ、すばやく静電ミストを発生することができる安価な静電霧化装置、およびその静電霧化装置を用いて室内に多くの静電ミストを安定して放出できる空気調和機を提供することを目的とする。
【課題を解決するための手段】
【００１２】
この発明に係る静電霧化装置は、
水供給部と、
多孔質体から形成され、前記水供給部から水を受け取り、高電圧が印加されることで前記水を先端霧化部で霧化させる水印加電極と、を備えた静電霧化装置であって、
前記水印加電極は、前記水供給部から前記水を受け取って、前記水を前記先端霧化部に搬送する胴部を有し、
前記先端霧化部は、前記胴部の側面から突出するように前記胴部に接続される板状突起で、上面視で三角形状であるか、もしくは三角形状部分を有し、
該三角形状もしくは三角形状部分の頂点で厚みのある先端が放電部となるとともに、
該先端が線状に尖った状態、もしくは線状に尖った状態に近しいくらいまで細い状態であって、その上端と下端に二つの角部を有していることを特徴とする。
【発明の効果】
【００１３】
この発明に係る静電霧化装置は、水供給部から供給された水を早く確実に水印加電極の先端霧化部に導くことができ、運転開始から短時間で多くの量の静電ミストを安定して発生させることができるという効果を有する。
【図面の簡単な説明】
【００１４】
【図１】実施の形態１を示す図で、静電霧化装置１００の概略構成図。
【図２】実施の形態１を示す図で、静電霧化装置１００の側面図。
【図３】実施の形態１を示す図で、水供給部の冷却部８の概略構成図。
【図４】実施の形態１を示す図で、水印加電極２の概略構成図。
【図５】実施の形態１を示す図で、水印加電極２の変形例の概略構成図。
【図６】実施の形態１を示す図で、三角形の先端霧化部２９が胴部２８の長辺に備えられた場合に、最も使用する材料を少なくして歩留まりをよくする製造方法を示す平面図。
【図７】実施の形態１を示す図で、変形例１の静電霧化装置１５０の縦断面図。
【図８】実施の形態１を示す図で、図７のミスト発生部付近の拡大図。
【図９】実施の形態１を示す図で、静電霧化装置１５０の分解斜視図。
【図１０】実施の形態１を示す図で、水供給部保持枠６０の斜視図。
【図１１】実施の形態１を示す図で、風防止壁３０の斜視図。
【図１２】実施の形態１を示す図で、保持枠７０の斜視図。
【図１３】実施の形態１を示す図で、保持枠７０に水印加電極２と対向電極３とを取り付けた状態を示す斜視図。
【図１４】実施の形態１を示す図で、保持枠７０に水印加電極２と対向電極３とを取り付けた状態を示す図（（ａ）は上面図、（ｂ）は正面図）。
【図１５】実施の形態１を示す図で、冷却部保持枠６３及び水供給部の斜視図。
【図１６】実施の形態１を示す図で、水供給部を水供給部保持枠６０及び抑え枠９０で保持した状態を示す図（（ａ）は上面図、（ｂ）は斜視図）。
【図１７】実施の形態１を示す図で、変形例２の静電霧化装置２００の側面図。
【図１８】実施の形態１を示す図で、変形例２の静電霧化装置２００に用いる水印加電極２の上面図。
【図１９】実施の形態１を示す図で、変形例３の静電霧化装置３００の側面図。
【図２０】実施の形態１を示す図で、変形例４の静電霧化装置４００の側面図。
【図２１】実施の形態１を示す図で、変形例５の静電霧化装置５００の側面図。
【図２２】実施の形態１を示す図で、水印加電極２に用いる発泡金属の説明用拡大概念図。
【図２３】実施の形態１を示す図で、発泡金属と比較例との吸水量を比較した図。
【図２４】実施の形態１を示す図で、発泡金属と比較例との電気抵抗率を比較した図。
【図２５】実施の形態１を示す図で、発泡金属と比較例との静電霧化量を比較した図。
【図２６】実施の形態１を示す図で、発泡金属の素材の違いによるオゾン発生量を比較した図。
【図２７】実施の形態１を示す図で、静電霧化装置１００〜５００のいずれかを備えた空気調和機５０の縦断面図。
【図２８】実施の形態１を示す図で、空気調和機５０の部分縦断面図。
【図２９】実施の形態１を示す図で、空気調和機５０の外観斜視図。
【図３０】実施の形態１を示す図で、センサー８０とサーモパイル８１を示す図。
【図３１】実施の形態１を示す図で、センサー８０付近の斜視図（（ａ）はセンサー８０が右端端部へ可動した状態、（ｂ）はセンサー８０が中央部へ可動した状態、（ｃ）はセンサー８０が左端端部へ可動した状態）。
【発明を実施するための形態】
【００１５】
実施の形態１．
図１乃至図２８は実施の形態１を示す図であり、まず、図１乃至図４により、静電霧化装置１００の構成を説明する。
【００１６】
図１乃至図４は実施の形態１を示す図で、図１は静電霧化装置１００の概略構成図、図２は静電霧化装置１００の側面図、図３は水供給部の冷却部８の概略構成図、図４は水印加電極２の概略構成図である。
【００１７】
本実施の形態の静電霧化装置１００は、図１に示すように、ナノメータ（１０−９ｍ）サイズの静電ミスト１を発生するために、水印加電極２と対向電極３とを備えている。
【００１８】
水印加電極２は、ともに板状の胴部２８と先端霧化部２９から成り、胴部２８に供給された水を先端霧化部２９に移動（搬送）する。先端霧化部２９の先端２９ａ（突端）が、対向電極３に向くように配置される。水印加電極２は材料に多孔質体が用いられるが、ここでは特に三次元網目状構造を有する金属多孔質体である発泡金属を用いている。これについては詳細を後述する。
【００１９】
水印加電極２と対向電極３との間には、高電圧電源部４から供給される約４〜６ｋＶの高電圧が、給電端子２５（例えば、図９参照）を介して印加される。ここでは、対向電極３がグランド極となって電位０Ｖであり、水印加電極２に、−４〜−６ｋＶのマイナスの直流電圧が印加される。
【００２０】
水印加電極２の胴部２８の形状は略矩形であり、その胴部２８の上方には、所定の距離Ｌ１（図２参照）の隙間を空けて水供給部の一部であるペルチェユニット６の冷却面に接する冷却部８の複数の冷却フィン８ｂが略水平方向に積層された状態で位置している。胴部２８は、冷却フィン８ｂの積層方向に長辺方向幅（長手方向の幅）を伸ばして形成されている。すなわち、略矩形の胴部２８の長辺方向（長手方向）が冷却部８の冷却フィン８ｂの積層方向に略一致している。
【００２１】
水印加電極２は、冷却フィン８ｂの下方に所定の距離Ｌ１の隙間を空けて位置し、冷却フィン８ｂの積層方向に長手方向（長辺方向）の幅を伸ばす平板状の胴部２８を有している。そして、胴部２８の短辺方向が冷却フィン８ｂの突出方向に略一致している。胴部２８は、長辺方向の幅が短辺方向の幅の３倍以上ある細長い形状である。そして板状の水印加電極２は、その板厚が胴部２８の短辺方向幅よりも小さいものである。
【００２２】
なお、胴部２８の形状は略矩形と説明しているが、長辺と短辺のなす角度が直角である完全なる長方形に限定されるものではなく、短辺の長辺に対する角度が鋭角や鈍角である、すなわち、互いが平行な二辺の長辺に対して短辺が直角に接続しない平行四辺形や台形であってもよく、胴部２８の形状の略矩形には、長方形だけでなく、このような平行四辺形や台形も含まれるものである。
【００２３】
さらに水印加電極２は、図１に示すように胴部２８の長辺方向（長手方向）側面の途中に、その側面から突出するように先端霧化部２９が形成されている。先端霧化部２９は胴部２８に連続する同じ厚さの板状突起で、その形状は上面視で三角形状である。三角形状の先端霧化部２９は、底辺の面が胴部２８の長辺方向側面につながり、頂点である先端２９ａ（突端）が、対向電極３に向いている。この先端２９ａが対向電極３との放電部となる。なお、図１乃至図４においては、先端霧化部２９である突起が一つの場合を示したが、突起が複数であってもよい。
【００２４】
図５は実施の形態１を示す図で、水印加電極２の変形例の概略構成図である。
【００２５】
また、先端霧化部２９である突起の形状は、図５に示すように、胴部２８につながる四角形状部分と、その四角形状部分に底辺の面がつながる三角形状部分とから成る、所謂、ホームベース形状であってもよく、その三角形状部分の頂点である先端２９ａ（突端）を対向電極３に向けるようにしてもよい。
【００２６】
水印加電極２の先端霧化部２９は、上面視で図１のような三角形状であっても、図５のホームベース形状であっても、胴部２８と同様に、板状で厚さを有し、胴部２８と一体的に形成されており、対向電極３に向かう先端２９ａにも厚みがあり先端２９ａは線状に尖っている。先端２９ａは線状に尖っているので、その上端と下端に二つの角部が形成されている。
【００２７】
先端霧化部２９は、平板状の胴部２８の長辺方向（長手方向）となる冷却フィン８ｂの積層方向に伸びる側面途中に胴部２８と連続的に形成され、胴部２８の長辺方向側面から対向電極３に向かって突出する板状突起であって、その形状は先端２９ａに向かうほど突起幅が細くなる形状で、先端２９ａは線状に尖った状態、もしくは線状に尖った状態に近しいくらいまで細い状態となっている。
【００２８】
対向電極３は、導電性のある金属もしくは樹脂にて板状に成形されたもので、略中央に開口３ａを有している。この開口３ａが水印加電極２の先端霧化部２９と対向するように、対向電極３は、先端霧化部２９の先端２９ａと一定の距離を隔てて位置している。
【００２９】
次に水印加電極２よりも上方に位置する水供給部について説明する。図１に示す静電霧化装置１００は、ペルチェユニット６と、そのペルチェユニット６の放熱面に接する放熱部７と、放熱面の反対側に位置する冷却面に接する冷却部８で構成される水供給部を有する。そしてこの水供給部で生成した水を水印加電極２の胴部２８上面に重力により滴下させて供給する。
【００３０】
放熱部７も冷却部８もそれぞれペルチェユニット６と接するベース板とそのベース板の反ペルチェユニット側の面に略垂直に立設する複数のフィンを有する。放熱部７と冷却部８の複数のフィンは、各々のフィンが通過する空気流と略平行となるように通過する空気流と略直交する方向に積層される。ここでは、空気流が概ね重力方向であるため、放熱部７と冷却部８のそれぞれのフィンは、重力方向とほぼ直交する方向となる略水平方向に積層される。なお、冷却部８を効率よく冷却するために、放熱部７の方が冷却部８よりもフィンの表面積が大きく構成されている。
【００３１】
図３は冷却部８の概略構成図であるが、冷却部８は、ペルチェユニット６と接するベース板８ａとそのベース板８ａの反ペルチェユニット側の面に略垂直に立設する複数の冷却フィン８ｂを有している。複数の冷却フィン８ｂは上記のとおり略水平方向に積層される。図３に示すＬ２は、冷却フィン８ｂのその積層方向の幅であり、積層方向の一方の端に位置する冷却フィン８ｂの外側面から他方の端に位置する冷却フィン８ｂの外側面までの距離である。両端の冷却フィン８ｂを含み幅Ｌ２の範囲内に位置する複数の冷却フィン８ｂは、すべて空気中に露出されている。
【００３２】
また、図３に示すＬ４は、冷却フィン８ｂの突出高さであり、ベース板８ａ上の基端から突端までの距離、すなわちベース板８ａの反ペルチェユニット側の面から冷却フィン８ｂ突端までの距離である。ここにおいて、複数の冷却フィン８ｂの下端面は全面が、水印加電極２の胴部２８上面と所定の距離Ｌ１を空けて対向するように露出している。
【００３３】
もし、冷却部８を固定する保持枠などによって上記する冷却フィン８ｂの下端面の基端近傍が部分的に覆われるようであれば、距離Ｌ４は、その覆われた距離の分だけマイナスしたものとする。このような場合では、距離Ｌ４は、冷却フィン８ｂの下端面の突出方向の露出長さとなる。
【００３４】
ペルチェユニット６内部には、複数のＰ型Ｎ型半導体が交互に直列に接続されている。低電圧電源部５から１〜５Ｖ程度の直流電圧がペルチェユニット６に印加されると、一方向に電流が流れ、ペルチェ効果によって放熱面の熱量が増え、冷却面では吸熱がなされる。これにより、放熱部７は暖められ、冷却部８は冷却される。
【００３５】
ペルチェユニット６によって、冷却部８の温度が通過する空気の露点以下まで冷やされると、冷却部８の冷却フィン８ｂの表面にはその空気中の水分が結露した結露水１０が生成される。生成された結露水１０は、重力により冷却フィン８ｂの下端に向けて冷却フィン８ｂの表面を伝って落下し、下端まで伝った後で冷却フィン８ｂから重力により下方へ滴下される。通過する空気の流れは、重力方向とほぼ同じであるため、結露水１０は、冷却フィン８ｂの上部側の表面に生成されやすく、下流に進むにしたがって空気中の水分がなくなっていくため、結露し難くなる。冷却フィン８ｂの下端面ではほとんど結露しない。
【００３６】
放熱部７および冷却部８は、アルミニウムを材料として形成されている。アルミニウム製のフィンの一般的な水との接触角は５０〜７０度であるが、ここでは、少なくとも冷却フィン８ｂに、接触角が９０度以上になるように撥水化処理を施すか、もしくは接触角が３０度以下になるように親水処理を施して、生成された結露水１０が冷却フィン８ｂの表面上を重力方向に移動しやすくし、生成された結露水１０を素早く冷却フィン８ｂから滴下するようにしている。
【００３７】
なお、水の接触角とは、固体表面上に水滴を乗せ、平衡になったときの水滴表面と固体表面のなす角度であり、水滴が冷却フィン８ｂ表面に接触している接触点において、水滴が形成する接線と冷却フィン８ｂ表面とがなす角度のことである。
【００３８】
ここで冷却部８の重力方向下方には、この冷却フィン８ｂの下端とは図２に示すように所定長さＬ１の空間を介して水印加電極２が配置されている。冷却部８と水印加電極２は、互いが直接的に接触する部分を有していない。冷却フィン８ｂの下端から滴下された結露水１０は、水印加電極２の胴部２８上面に落下する。すなわち、水印加電極２の略矩形の胴部２８が、冷却フィン８ｂの積層方向に長辺方向を伸ばし、かつ冷却フィン８ｂの真下（直下）に距離Ｌ１の空間を隔てて配置されているのである。
【００３９】
胴部２８の上面に重力落下した結露水１０は、金属多孔質体の水印加電極２内部に吸水され、内部の互いが三次元的につながる空隙内を表面拡散により移動する。結露水１０は、このような表面拡散現象により、水印加電極２の内部にて胴部２８から先端霧化部２９へと搬送される。
【００４０】
水印加電極２の先端霧化部２９の先端２９ａ近傍まで水（結露水１０）が搬送されると、グランド極である対向電極３に対して水印加電極２には、−４〜−６ｋＶのマイナス高電圧が印加されているので、先端２９ａ近傍の水にその高電圧がかかり、水印加電極２と同電位、すなわちマイナスの高電圧に帯電している。そのため、帯電している水は、静電界中のクーロン力の作用によって、先端２９ａから局所的に水印加電極２の外部へ引っ張られテーラーコーンと呼ばれる盛り上がりを形成する。このときテーラーコーンを形成している水は、水印加電極２に付いているので、引き続き帯電している。そして、作用するクーロン力が水の表面張力を超えることで、テーラーコーンを形成していた水が飛び出し、はじけるように分裂（この分裂はレイリー分裂と呼ばれている）を繰り返し、ナノメータサイズの帯電した静電ミスト１が生成される。静電ミスト１は対向電極３に向かって移動し、対向電極３の開口３ａから外部へと放出される。
【００４１】
ここで、帯電した水を先端霧化部２９の先端２９ａから飛び出させるためには、電界の集中が必要である。この水印加電極２は、先端霧化部２９が板状で形成されていて、放電部である先端２９ａが線状に尖っているので、少なくとも先端２９ａの上端と下端の２ヶ所の角部に電界を集中させることができる。
【００４２】
このため、先端近傍を錘状（角錐や円錐）に形成して放電部となる先端を針状に尖らしたものでは、その針状尖端の１ヶ所でしか水のテーラーコーンが形成されないのに対して、線状に尖る先端２９ａでは、少なくとも上端と下端の角部２ヶ所で水のテーラーコーンを形成することができ、放電部を針状尖端とするものに比べて、静電ミスト１を効率よく多量に発生させることができる。なお、先端２９ａは線状に尖っているので、上端や下端の角部ほどではないが電界は集中するので、上下の角部の間であっても、水のテーラーコーンが形成されることもあり、静電ミスト１が効率よく多量に生成される。
【００４３】
製造上においても、先端２９ａを錘状（角錐や円錐）に形成する場合には、胴部２８および先端霧化部２９の切り出し方向と違う方向の切断加工が必要になる。詳細には水印加電極の厚みＬ７（図４参照）を縮める方向の追加加工によって、水印加電極２の方向を変えるか、切断具の方向を変えるかする作業時間とスペースおよび先端の加工時間が必要になり、加工コストが多くかかる。それに対して、厚みが胴部２８の厚みと同じであって、角部を二つ有して線状に尖る先端２９ａとした場合には、シート状の材料を胴部２８の切り出し工程と同じ方向に切断具を動かす１回の工程で形成することができ、加工時間を短縮できる上に無駄をだすことなく製造できるという利点がある。
【００４４】
電界を集中しやすくするために、先端霧化部２９は、対向電極３に向かう上面視で三角形状の頂点部分の角度α（図４に示す）を鋭角に形成するのがよく、望ましくは６０°以下がよい。上面視で三角形状の先端霧化部２９の胴部２８から最も離れた頂点部分の角度が角度αである。また、水印加電極２の製造工程や配送工程において、先端霧化部２９が細長く突出していると、破損する恐れがあるので、破損を回避するために、先端霧化部２９の突出高さＬ６（図４に示す）は、胴部２８の短辺方向幅と同等以下とするのが好ましく、頂点部分の角度αも１５°以上がよい。
【００４５】
このように生成された静電ミスト１は、単にミストや微粒子水と呼ばれたり、帯電していることから、帯電ミストや帯電微粒子水と呼ばれたりすることがある。また、大きさがナノメータサイズであることから、ナノミストと呼ばれることもある。いずれであっても、水に高電圧をかけ、レイリー分裂により微細化させ生成する帯電したナノメータサイズのミスト（微粒子水）であり、ここでは、このようにして生成されたミストのことを静電ミスト１と呼ぶこととする。また、このように静電ミスト１を生成することを静電霧化と呼び、霧化するとは水をミスト化することである。そして、霧化量とは、静電ミスト１の生成量（発生量）のことである。
【００４６】
図４は水印加電極２の概略構成図であるが、この図で示すＬ３は、上方に位置する冷却フィン８ｂと対向して露出される胴部２８上面の長辺方向（長手方向）の幅で、冷却フィン８ｂの積層方向と同方向の幅である。
【００４７】
例えば、胴部２８の長辺方向の一端に高電圧電源部４との給電端子２５（図９）が装着され、その給電端子２５により、もしくはその給電端子２５を保護するために設置された別体のカバーにより、胴部２８のその一端部分の上面が、冷却フィン８ｂに向かって露出されていない場合には、その一端部分は上記の幅Ｌ３には含まれない。幅Ｌ３は単に胴部２８の長辺方向の長さではなく、上方に位置する冷却フィン８ｂと対向して露出される胴部２８上面の長辺方向の幅であり、上方に露出をしていない部分は、幅Ｌ３には含めない。
【００４８】
また図４に示すＬ５は、Ｌ３と直交する方向の幅であり、冷却フィン８ｂと対向して露出されている胴部２８上面の短辺方向の幅で、冷却フィン８ｂの突出方向と同方向の幅である。
【００４９】
ここで、この水印加電極２は、胴部２８の幅Ｌ３が、上記した冷却フィン８ｂの積層方向幅Ｌ２と同等もしくは幅Ｌ２よりも大きくなるように形成されている。すなわち、幅Ｌ３≧幅Ｌ２となっている。また、胴部２８の幅Ｌ５が、上記した冷却フィン８ｂの突出高さＬ４と同等もしくはＬ４よりも大きくなるように形成されている。すなわち、幅Ｌ５≧Ｌ４としている。
【００５０】
さらに、水印加電極２の胴部２８に冷却フィン８ｂ全体を重力方向に投影したときに、積層方向幅Ｌ２が胴部２８の長辺方向幅Ｌ３と略一致するか、もしくは幅Ｌ３内に収まるように、また、高さＬ４が胴部２８の短辺方向幅Ｌ５と略一致するか、もしくは幅Ｌ５内に収まるように、水印加電極２の胴部２８は、冷却フィン８ｂに対して配置されている。
【００５１】
上方に位置する複数の冷却フィン８ｂと、その下方に隙間Ｌ１を介して冷却部８とは非接触に位置する水印加電極２の胴部２８とは、このような位置関係にあるので、重力により複数の冷却フィン８ｂの下端から積層方向に幅広く滴下される多くの結露水１０を、胴部２８の上面が水受け取り面となって、無駄なく確実に受け取ることができ、それらを先端霧化部２９に搬送できるので、安定して多くの量の静電ミスト１を発生させることができる。
【００５２】
また、冷却フィン８ｂの突出方向に対しても、高さＬ４の範囲を有する冷却フィン８ｂ下端のいずれの突出方向位置から滴下された場合でも、胴部２８の上面が水受け取り面となって、無駄なく確実に受け取ることができ、安定して多くの量の静電ミスト１を発生させることできる。
【００５３】
特に、冷却部８にて多くの結露水１０を得るために、空気流と略直交する水平方向に冷却フィン８ｂを積層させ、水印加電極２の胴部２８を平板状として、その積層方向に長辺方向の幅を伸ばすように形成していることにより、冷却フィン８ｂで効率よく多量に結露させた結露水１０を胴部２８の上面で無駄なく確実に受け取るので、静電ミスト１の発生が安定して継続される。
【００５４】
なお、水供給部の冷却部８は、必ずしも冷却フィン８ｂを備えていなくてもよく、冷却フィン８ｂを有している場合と比べれば、生成される結露水１０の量は減少するが、平板状のベース板８ａだけがペルチェユニット６の冷却面に接している構成であってもよい。この場合には、ベース板８ａが冷却板となって、ベース板８ａのペルチェユニット６と接する面の反対側の面（冷却フィン８ｂを備える場合であれば、複数の冷却フィン８ｂが突出する面）上に、結露水１０が生成され、重力により下端に向けてその面上を伝って落下し、下端まで伝った後でベース板８ａから重力により下方へ滴下される。
【００５５】
冷却部８が冷却フィン８ｂを持たずに冷却板となる平板状のベース板８ａのみを有する上記のような構成である場合には、ベース板８ａの水平方向の幅（長さ）に対して、水印加電極２の胴部２８の幅Ｌ３を、同等もしくはそれより大きくなるように形成すればよい。すなわち、幅Ｌ３≧ベース板８ａの水平方向の幅となっている。そして、水印加電極２の胴部２８にベース板８ａを重力方向に投影したときに、ベース板８ａの水平方向の幅が胴部２８の長辺方向幅Ｌ３と略一致するか、もしくは幅Ｌ３内に収まるように、水印加電極２の胴部２８を、冷却部８に対して配置する。もちろん、ベース板８ａの下方に距離Ｌ１の隙間を介して胴部２８が位置し、冷却部８と水印加電極２は非接触である。
【００５６】
このような位置関係とすることで、重力により冷却板となるベース板８ａの下端から水平方向に幅広く滴下される結露水１０を、胴部２８の上面が水受け取り面となって、無駄なく確実に受け取ることができ、それらを先端霧化部２９に搬送できるので、安定して多くの量の静電ミスト１を発生させることができる。
【００５７】
すなわち、冷却フィン８ｂの有無に関わらず、水印加電極２の胴部２８の幅Ｌ３を、冷却部８の水平方向幅と同等もしくはそれよりも大きくなるように形成し、すなわち、幅Ｌ３≧冷却部８の水平方向幅として、さらに水印加電極２の胴部２８に冷却部８を重力方向に投影したときに、冷却部８の水平向幅が胴部２８の長辺方向幅Ｌ３と略一致するか、もしくは幅Ｌ３内に収まるように配置することにより、重力により冷却部８から水平方向に幅広く滴下される結露水１０を、胴部２８の上面が水受け取り面となって、無駄なく確実に受け取ることができ、それらを先端霧化部２９に搬送できるので、安定して多くの量の静電ミスト１を発生させることができる。
【００５８】
図３に示す冷却部８では、ベース板８ａの左右端からも冷却フィン８ｂが突設しており、積層方向の幅Ｌ２が冷却部８の水平方向幅に該当する。ベース板８ａは一般的に矩形状に形成され、その長手方向が通過する空気流の方向と直交するように配置される。冷却部８での結露水１０の生成は、多くが冷却部８の（通過する空気流の）上流部で生じるため、そのように配置した方が、水分を多く含んだ空気流と接するベース板８ａ（のペルチェユニット６と接する面の反対側の面）の面積を稼げるからである。そのため、冷却部８で生成された結露水１０は、水平方向に幅広く滴下されることになる。
【００５９】
また、先端霧化部２９を胴部２８の長辺方向側面の途中に形成しているので、短辺方向側面に設けるのに比べて、胴部２８で受け取った結露水１０を素早く先端霧化部２９に搬送できる。このため、結露水１０が水印加電極２へ至るまでの経路が、重力による胴部２８への直接的な滴下であることと相まって、この静電霧化装置１００の運転開始から短時間で静電ミスト１を発生させることができる。各冷却フィン８ｂから同量の結露水１０が滴下されるものとして、先端霧化部２９が一つだけの場合には、胴部２８の長辺方向側面にあって、冷却フィン８ｂの積層方向幅Ｌ２の中央に相当する位置に配置させるのが、水の搬送の安定度から最も好ましい。
【００６０】
なお、水印加電極２は、その周囲に冷却部８から滴下供給された結露水１０を溜めないように構成されている。水印加電極２を固定する保持枠は水が溜まることがないように容器とはしないで、例えば、水印加電極２の下面（冷却部８と対向する上面の反対側の面）を含む周囲には下方への開口２６（例えば、図１３、図１４参照）を設け、水印加電極２の保持枠７０（例えば、図９参照）からは不要な水は開口２６を通して排水させ、水印加電極２の周囲に水を溜めさせない。
【００６１】
水印加電極２の周りに水を溜めない理由は、以下のとおりである。
（１）水印加電極２の上に水が溜まってくると、上に溜まった水の介在により水印加電極２（特に胴部２８）と冷却部８（特に冷却フィン８ｂ）との距離が短くなり、高電位である水印加電極２から冷却部８へ放電現象が発生する恐れがある。水印加電極２と冷却部８との間で放電現象が発生すると、水印加電極２と対向電極３との間での放電が不安定となり、正確な静電ミスト１の発生が阻害される。また、信頼性の点からも好ましくない。
【００６２】
（２）水印加電極２は多孔質体で構成されるが、水印加電極２内の水分量が多いと、テーラーコーンを形成した水の表面張力に対してクーロン力が勝てずに、水が先端霧化部２９の先端２９ａから離れにくくなり、すなわち、先端２９ａからなかなか飛び出さないことになって、静電ミスト１の発生が阻害される。水印加電極２は、内部の空隙（気孔）を水で飽和させない方が静電ミスト１の発生効率がよい。
【００６３】
（３）ペルチェユニット６が水に浸かると、信頼性の点で不具合が生じる。ペルチェユニット６は、Ｐ型Ｎ型半導体が直列接続された構成であり、Ｐ型Ｎ型半導体のいずれかが水の侵入により故障すると使用不能となる。
これらの理由から、水印加電極２の周囲には、水を溜めない構成が必要なのである。
【００６４】
なお、対向電極３は、水印加電極２との電位差を一定に保つために設置しているが、対向電極３を設置しないで気中との放電（気中の浮遊電位との放電）で静電ミスト１を発生させるようにしてもよい。また、この静電霧化装置１００を搭載する機器のあらかじめ電位が０Ｖ近辺にある部材（例えば、空気調和機の室内機に搭載するとして、室内機内部に設置される室内熱交換器）を対向電極３の代替として用いて、水印加電極２との電位差を保つようにして静電ミスト１を生成するようにしてもよい。
【００６５】
この静電霧化装置１００では、放熱部７および冷却部８に重力方向、すなわち上方から下方への空気流が通過するが、冷却部８における吸熱量低下を防止して効率よく冷却フィン８ｂの温度を下げるために、冷却部８への通風量（通過する空気流の量）は、放熱部７に比べて少なくしている。その実現手段としては、放熱部７はその上流側を開放状態にして放熱部７を通過する空気流に通風抵抗を与えないが、冷却部８側では、上流側に囲いやリブなどを設けて流入口の開口を制限して通風量を下げる。このように通風量を下げて冷却部８を通過する空気流の流速を０．１ｍ／ｓ程度の微風状態まで小さくし、空気流が冷却熱を奪って流出してしまうことを避けている。この結果、冷却フィン８ｂを効率よく冷却できる。
【００６６】
そして流速はたいへん小さいが、冷却部８には空気流が存在するので、水分を含んだ新しい空気が入れ替わるように流入することになり、冷却部８周囲の空気が乾燥してしまうことがなく、効率よく冷却された冷却フィン８ｂの表面には、結露水１０が安定して生成される。
【００６７】
水印加電極２は金属多孔質体から成るものなので、胴部２８の上面のどこに結露水１０が滴下されても、受け取った水を先端霧化部２９に搬送する性質を持っている。
【００６８】
すなわち、水印加電極２自身が、水受け取り部であり、水搬送手段であり、かつ霧化部（静電ミスト１の発生部）である、というように、三つの機能を備えているのである。このため、素早く水を先端霧化部２９に集めて、効率よく正確に安定して静電霧化させることができる、という効果を有するのである。
【００６９】
この静電霧化装置１００では、図２に示すように、水印加電極２の胴部２８が、ペルチェユニット６の冷却面に接する冷却部８の重力方向下方に、冷却部８とは直接に接することのない離れた位置で、所定の距離Ｌ１の隙間を空けて設置される。
【００７０】
ここで所定の隙間Ｌ１は、水印加電極２と冷却部８とが電気的につながらない距離が必要となる。高電位にある胴部２８から冷却部８への放電を起こさないために、胴部２８の冷却フィン８ｂに対向して露出される上面には、先端霧化部２９のような電界を集中させてしまう突起を設けずに平坦状に形成する。そして、胴部２８と冷却部８間の空間の絶縁破壊を回避するために、距離Ｌ１は最低でも３ｍｍ必要となる。
【００７１】
さらに、結露水１０を冷却フィン８ｂから胴部２８へと滴下するようにしているため、冷却フィン８ｂの下端から落下する直前の水滴の長さが、冷却フィン８ｂと胴部２８との絶縁距離を実質的に短くしてしまうことになるので、その分も考慮すると、距離Ｌ１は、少なくとも５ｍｍは必要であり、冷却フィン８ｂの下端から５ｍｍ以上の隙間Ｌ１を空けて胴部２８を設置するのがよい。
【００７２】
これに加えて、水印加電極２や冷却部８をそれぞれ保持する周囲の部材への沿面放電なども考慮して放電に対する信頼性を満足する隙間Ｌ１を適宜設定すればよい。
【００７３】
この静電霧化装置１００では、冷却部８と、冷却部８に向かって露出している胴部２８の上面との間には、空間以外に、冷却部８から滴下する水を集める集水部材や滴下する水を胴部２８に案内するガイド部材、また、滴下する水を胴部２８に至る前に一時的に溜めておく保水部材などを介在させず、直接的に重力により結露水１０を胴部２８上面に滴下する。冷却部８から胴部２８への水の移動を妨げる要素は何もない。これにより、冷却部８にて生成された結露水１０を、短時間で素早く確実に水印加電極２へと供給することができる。
【００７４】
そして、水印加電極２と冷却部８とが非接触であることにより、ペルチェユニット６に高電圧がかかって、ペルチェユニット６が壊れてしまう心配がない。このように、高電圧が印加される部位が水印加電極２に限定される。
【００７５】
また、水印加電極２の材料として金属多孔質体（詳細は後述する）を用いることで、胴部２８の一部に水が供給されれば、内部の空隙を表面拡散により進み、先端霧化部２９まで素早く搬送することができ、運転開始から静電ミスト１の発生までの時間を短くできる。
【００７６】
三角形の先端霧化部２９が胴部２８の長辺に備えられた場合に、最も使用する材料を少なくして、歩留まりをよくする製造方法を説明する。
【００７７】
図６は実施の形態１を示す図で、三角形の先端霧化部２９が胴部２８の長辺に備えられた場合に、最も使用する材料を少なくして歩留まりをよくする製造方法を示す平面図である。
【００７８】
図６に示すように、先端霧化部２９の突出高さＬ６（図４に示す）を、胴部２８の短辺方向幅Ｌ５と同じ長さにすると共に、胴部２８の短辺二つを両方とも角度α／２となるように斜めにカットする。こうすることで、ある水印加電極２の先端霧化部２９が有する三角辺が別の隣接する水印加電極２の胴部２８の斜めにカットされた部分と同じ形になるため、シート状材料から材料の無駄を出すことなく、水印加電極２を互い違いに切り出すことができる。先端霧化部２９の三角辺と胴部２８の短辺の長さおよび傾斜角度は等しくなる。先端霧化部２９が二等辺三角形であれば、胴部２８の短辺は角度α／２になるが、先端霧化部２９が三角辺の長さが異なる三角形の場合には、胴部２８の短辺二つの斜めにカットする角度の合計がαになるようにすればよい。先端霧化部２９は、胴部２８の長辺の中央にある必要はなく、長辺のどこにあってもよい。
【００７９】
次に、実施の形態１のいくつかの変形例について説明する。変形例１の静電霧化装置１５０が、例えば、空気調和機に搭載した場合に特に好適であるので、変形例１の静電霧化装置１５０について詳細に説明する。
【００８０】
図７乃至図１６は実施の形態１を示す図で、図７は変形例１の静電霧化装置１５０を示す縦断面図、図８は図７のミスト発生部付近の拡大図、図９は静電霧化装置１５０の分解斜視図、図１０は水供給部保持枠６０の斜視図、図１１は風防止壁３０の斜視図、図１２は保持枠７０の斜視図、図１３は保持枠７０に水印加電極２と対向電極３とを取り付けた状態を示す斜視図、図１４は保持枠７０に水印加電極２と対向電極３とを取り付けた状態を示す図（（ａ）は上面図、（ｂ）は正面図）、図１５は冷却部保持枠６３及び水供給部の斜視図、図１６は水供給部を水供給部保持枠６０及び抑え枠９０で保持した状態を示す図（（ａ）は上面図、（ｂ）は斜視図）である。
【００８１】
図１の静電霧化装置１００においては、水印加電極２の先端霧化部２９が、胴部２８の長辺方向側面上に冷却フィン８ｂの突出方向と同方向に突出していた。
【００８２】
図７乃至図１６で示す静電霧化装置１５０では、水印加電極２の先端霧化部２９を、冷却フィン８ｂの突出方向の面とは反対側の長辺方向側面上に、すなわち放熱部７のフィン突出方向に突出するように設けている。対向電極３もその時の先端霧化部２９に対向するように放熱部７側に設けられる。このような配置にすると、冷却部８に比べて流量が大きい放熱部７を通過する空気流にのせて対向電極３の開口から放出された静電ミスト１を広く拡散させることができる効果が追加される。
【００８３】
静電霧化装置１５０を構成する主要な要素は、以下に示す通りである。夫々の要素は、既に詳しく説明したものもあるし、未だ説明されていないものについては追って詳細を説明するので、ここでは簡単に述べる（主に、図９の分解斜視図を参照のこと）。
【００８４】
（１）水供給部：水供給部は、既に説明したペルチェユニット６と、そのペルチェユニット６の放熱面に接する放熱部７と、放熱面の反対側に位置する冷却面に接する冷却部８で構成される。ペルチェユニット６は、低電圧電源部５（図１のものと同じ）に電気的に接続するリード線６ａを有する。
【００８５】
（２）冷却部保持枠６３：冷却部保持枠６３は、樹脂製であり、水供給部の冷却部８を放熱部７に係合により固定する。詳細は後述する。
【００８６】
（３）水供給部保持枠６０：水供給部保持枠６０は、冷却部８が冷却部保持枠６３で放熱部７に固定された水供給部を、冷却部８側から保持する。冷却部８が冷却部収納部６０ａに収納される。また、放熱部７が放熱部収納部６０ｂに収納される。冷却部８は、空気流の上流側が水供給部保持枠６０で覆われ、幅方向に複数設けられた空気量調整穴６１（空気量調整部）によって通過風速および通過風量が制御される。さらに、水供給部保持枠６０は、ペルチェユニット６のリード線６ａ及び水印加電極２に給電端子２５を介して接続するリード線２５ａを口出しするリード線口出し部６０ｃを備える（図１０参照）。
【００８７】
（４）水供給部抑え枠９０：水供給部抑え枠９０は、冷却部保持枠６３と同様樹脂製であり、冷却部保持枠６３との間に水供給部を挟持する。水供給部抑え枠９０と冷却部保持枠６３との係合は、爪と孔とで行う。また、水供給部抑え枠９０は、冷却部保持枠６３と同様にペルチェユニット６のリード線６ａ及び水印加電極２のリード線２５ａを口出しするリード線口出し部９０ａを備える。水供給部保持枠６０のリード線口出し部６０ｃと水供給部抑え枠９０のリード線口出し部９０ａとで、ペルチェユニット６のリード線６ａ及び水印加電極２のリード線２５ａを挟持する。
【００８８】
（５）水印加電極２：既に説明済みの図１の静電霧化装置１００の水印加電極２と同じものである。但し、静電霧化装置１５０では、水印加電極２の先端霧化部２９が、冷却フィン８ｂの突出方向の面とは反対側の長辺方向側面上に、すなわち放熱部７のフィン突出方向に突出するように配置されている。水印加電極２には、給電端子２５を介してリード線２５ａが接続される。
【００８９】
（６）保持枠７０：保持枠７０は、水印加電極２を下方から保持する部材である。詳細は後述するが、保持枠７０は外周と胴部２８の短辺方向の格子７０ａを有して、大きな四角形状の開口２６を持った箱型形状をしている。短辺方向に伸びた格子７０ａは水印加電極２の胴部２８を支えるが、胴部２８の幅Ｌ３より充分に短い幅をしている。また、保持枠７０の下部には、対向電極３を保持する対向電極保持部７０ｂが形成されている。
【００９０】
（７）対向電極３：既に説明済みの図１の静電霧化装置１００の対向電極３と同じものである。対向電極３は、保持枠７０の対向電極保持部７０ｂにネジ３ｃにより固定される。また、対向電極３には接地用のリード線３ｂが接続される。
【００９１】
（８）風防止壁３０：風防止壁３０は、保持枠７０の上部に係合して、水印加電極２を保持枠７０とで挟持する。風防止壁３０は、水印加電極２の先端霧化部２９及び対向電極３を覆う庇３０ａと、先端霧化部２９の胴部２８に対する付け根部分および胴部２８の長辺を上方から抑えながら天面方向に向かって伸びて形成されている垂直壁３０ｂとを備える。
【００９２】
以下、静電霧化装置１５０について、さらに詳しく説明する。図７、図１６（ａ）に示すように、水供給部の放熱部７は、風がよく通るように空気中に露出している。
【００９３】
水供給部の冷却部８は、過度の空気流入による冷却フィン８ｂの温度上昇を防止するために水供給部保持枠６０で覆われ、幅方向に複数設けられた空気量調整穴６１（図１０、図１６）によって通過風速および通過風量が制御されている。
【００９４】
冷却フィン８ｂの下方には、空間のみを介して水印加電極２の胴部２８が設けられている。冷却フィン８ｂから滴下した水滴は、樹脂枠（風防止壁３０）などに触れることなく直接胴部２８に滴下される。
【００９５】
これは、樹脂枠の水の接触角が７０〜８０度前後と水滴を保持しやすい性質を持つために、樹脂枠などガイドを介して水滴を胴部２８に移動させようとしても、例え傾斜があったとしても水滴は滴下地点から動き出さずに移動しがたい傾向にある。従って、ガイドを介さずに直接水滴を滴下できるように、冷却フィン８ｂの滴下面高さＬ４（図３）を短辺方向幅Ｌ５（図４）より小さくしている。
【００９６】
水印加電極２は、胴部２８の長辺方向（長手方向）側面の途中に、その側面から突出するように三角形状の先端霧化部２９が形成されている。水印加電極２は胴部の長さＬ５（図４）と先端霧化部の長さＬ６（図４）は、ほぼ等しい長さで成形されている（図６）。
【００９７】
また、胴部２８を冷却部８の重力方向下方に配置し、一方先端霧化部２９をペルチェユニット６もしくは放熱部７の重力方向下方に設けている。
【００９８】
また、先端霧化部２９と所定の距離を介して対向電極３が、放熱部７の下方に設けられる。
【００９９】
水印加電極２は、先端霧化部２９の根元部分（胴部２８に接続する部分）を保持枠７０と、風防止壁３０の垂直壁３０ｂとで挟持されて位置決めされている。
【０１００】
保持枠７０は、外周と水印加電極２の胴部２８の短辺方向の複数の格子７０ａを有する、大きな四角形状の開口２６（図１３、図１４）を備える箱型形状をしている。
【０１０１】
水印加電極２の胴部２８の短辺方向に伸びる格子７０ａは、水印加電極２の胴部２８を支える。格子７０ａの長さは、胴部２８の幅Ｌ３（図４）より充分に短い。
【０１０２】
保持枠７０は、格子７０ａ以外の水印加電極２の周囲が大きな開口２６（図１３、図１４）となっており、水を溜めることなく過度な水を排出できるようになっている。
【０１０３】
冷却部８を通過した冷たい空気は、水印加電極２近傍で滞留したり、冷却部８に逆流したりすることなく速やかに下方に抜けていくため、水供給部保持枠６０の表面に結露を起こす恐れが少ない。
【０１０４】
水印加電極２の胴部２８の短辺と平行に配置されて水印加電極２を支える保持枠７０の格子７０ａを、狭い間隔で２本以上設けた場合、格子７０ａと格子７０ａとの間で余剰に排出された水滴がブリッジして大玉になって保持される。
【０１０５】
水滴が大玉になると、対向電極３と水滴が経路を作って繋げてしまったり、風で飛散した場合に対向電極３に付着したりする可能性があり危険である。
【０１０６】
水滴はブリッジすることなく、下方のドレンパン４０（図２７）に向かってスムーズに流れたほうが好ましい。そのため、保持枠７０の外周を除く格子７０ａの間隔は１０ｍｍ以上空けるが好ましい。別の表現をすると、格子７０ａの間隔は、水印加電極２の先端霧化部２９から見た対向電極３の露出部の左右方向の幅と同等以上とするのが好ましい。すると、水滴が保持されずにスムーズに落下する。
【０１０７】
また、胴部２８から滴下した水滴が、保持枠７０を伝って落ちる場合、対向電極３の中央に面した部分から滴下される、または風で飛散した場合に、対向電極３に付着する可能性があり危険である。
【０１０８】
そこで、保持枠７０の下端部（水印加電極２の先端霧化部２９を支持する部分）は、対向電極３の中心部分に対向する位置を頂点凸部として左右方向に向かって半円を描くように円弧７０ｃ（図１２）状に伸びるとともに、円弧７０ｃ端部を角部として更に左右方向に伸ばして形成した（図１２の左右延伸部７０ｄ）。
【０１０９】
このように構成することで、胴部２８から滴下した水滴は、対向電極３の中心部分に対向する位置から滴下されることがなく、樹脂（保持枠７０）を伝って左右方向に誘導されて円弧７０ｃ端部から滴下されるので、例えブリッジした水滴が飛散しても対向電極３に付着しにくい。円弧７０ｃ端部幅はなるべく左右方向に広げる方がよく、水印加電極２の先端霧化部２９から見た対向電極３の露出部の左右方向の幅と同等以上とするのが好ましい。
【０１１０】
このように、冷却部８の下方に胴部２８を配置して、ペルチェユニット６から放熱部７に渡る部分の下方に対向電極３を配置することで、図１に示すような冷却部８の下方に胴部２８を設け、更に対向電極３を冷却フィン８ｂが突出する方向であって、胴部２８よりも冷却フィン８ｂから遠い場所に配置する場合に比べて、デバイス全体の断面厚み（図７に示す）を小さくすることができるという効果を有する。なお、断面厚みは、奥行き方向の幅、もしくは厚さと言ってもよい。
【０１１１】
つまり、静電霧化装置１５０は、冷却部８とペルチェユニット６と放熱部７とから構成される水供給部に要する断面厚みと、水印加電極２と対向電極３とから構成されるミスト発生部の断面厚みがほぼ同じになる。そのため、断面厚み方向（装置の奥行き方向）に無駄がなく、空気調和機の室内機などスペースの小さい部分にも搭載することができる。
【０１１２】
また、幅方向（図９参照）に関しても、水印加電極２の幅は、冷却フィン８ｂより幅の大きな放熱部７の幅より小さいので、放熱部７のサイズ内で収まり幅方向にもコンパクトである。
【０１１３】
加えて、冷却部８に比べて流量が大きい放熱部７を通過する空気流（放熱側、図７）にのせて、対向電極３の開口３ａから放出された静電ミスト１を広く拡散させることができる効果や水滴が直接水印加電極２の胴部２８に滴下されることで素早く確実に水を搬送して静電ミスト１を発生できるという効果も有している。
【０１１４】
保持枠７０は、水を溜めることなく過度な水を排出できるように大きな開口２６を持った格子形状となっている。この形状の別の効果として、冷却部８を通過した冷たい空気が水印加電極２近傍で回流して再び水供給部保持枠６０近傍に移動することがなく、水供給部保持枠６０が冷やされて水供給部保持枠６０の表面が結露することが無い、という効果がある。
【０１１５】
水供給部保持枠６０が結露すると、静電霧化装置１５０の外に水滴が滴下する可能性や、高電圧が印加される水印加電極２と水滴が経路を作って高電圧部分が全体に広がるために異常放電や感電が起こる懸念が広がる。
【０１１６】
また、水供給部保持枠６０を結露させないために、水供給部保持枠６０と冷却フィン８ｂはぎりぎりまで近づけるのではなく充分距離を離すのが好ましい。冷却フィン８ｂ近傍の水供給部保持枠６０を、４ｍｍ以上（図７のｄ）盛り上げて離して配置する。そうすることで、例え、冷却フィン８ｂが０℃近傍まで冷却されても結露することがない。
【０１１７】
この時、水印加電極２の先端霧化部２９の先端２９ａは、長期信頼性から汚れ付着を防止するのが好ましい。先端２９ａに汚れが付着すると、放電力が低下して静電ミスト１の発生量が低下したり、発生が不安定になったりする。そのために先端２９ａにはなるべく風を通さず、移動してきた空気に触れさせないようにするとよい。
【０１１８】
そこで、本実施の形態においては、庇３０ａと垂直壁３０ｂとを有する風防止壁３０を、水供給部とミスト発生部との間に設けた（図７、図９、図１１など）。
【０１１９】
図７に示すように、風防止壁３０の庇３０ａは、水印加電極２の先端霧化部２９の先端２９ａの上方に位置し、水供給部の放熱部７のフィンが突出する方向に伸びて設けられる。それにより、水供給部の放熱部７を通過してくる風が水印加電極２の先端霧化部２９の先端２９ａに流入してくるのを防止する。
【０１２０】
このように構成することで、水印加電極２の先端霧化部２９の先端２９ａは、汚れが通過しないため汚れにくくなり、長期に渡って静電ミスト１を安定して発生することができる。
【０１２１】
また、通過する流量の大なる空気流が過度に水印加電極２の先端霧化部２９の先端２９ａに触れることによって、水のテーラーコーン形成やレイリー分裂が阻害され、正確で安定した静電ミスト１の発生が損なわれる懸念もなくなる。
【０１２２】
この時、庇３０ａは、水印加電極２の先端霧化部２９の先端２９ａから最も距離の近い対向電極３の部分を越えて、対向電極３を覆うように放熱部７のフィンが突出する方向に伸びている。
【０１２３】
このように構成することで、対向電極３の水印加電極２の先端霧化部２９の先端２９ａに近い部分に風が流入するのを抑制して、対向電極３への汚れの付着を防止できるという新たな効果を得ることができる。
【０１２４】
また、樹脂で作られた庇３０ａおよび垂直壁３０ｂが帯電すると、電界形成が損なわれて静電ミスト１の発生を妨害するので、庇３０ａと対向電極３とはお互いに触れないように配置した。これにより、庇３０ａが帯電することによって静電ミスト１の発生を妨害することがなくなる。
【０１２５】
垂直壁３０ｂは、先端霧化部２９の胴部２８に対する付け根部分および胴部２８の長辺を上方から抑えながら天面方向に向かって伸びて配置されている。
【０１２６】
水供給部の冷却部８を通過した風は、放熱部７を通過した風に比べて風速が遅いため、放熱部７側に引き寄せられやすい。しかし、垂直壁３０ｂが水印加電極２に確実に接触して配置されることで、冷却部８を通過してくる風が水印加電極２の先端霧化部２９の先端２９ａに流入してくるのを防止する。
【０１２７】
このように構成することで、風が水印加電極２の先端霧化部２９の先端２９ａは、風が通過しないために汚れにくくなり、長期に渡って静電ミスト１を安定して出すことができる。
【０１２８】
冷却部８を通過した風は、水印加電極２の先端霧化部２９の先端２９ａを通過しないので、水印加電極２の周囲に設けられた複数の開口２６を通って下方に通り抜けていく。
【０１２９】
垂直壁３０ｂは、抑えによる水印加電極２の位置決めと、水印加電極２の先端霧化部２９の先端２９ａの汚れ防止の二つの効果を備える。
【０１３０】
水印加電極２の先端霧化部２９の先端２９ａの位置を決めて、水印加電極２の先端霧化部２９の先端２９ａが上下に動かないようにすることで、先端２９ａと対向電極３との距離が一定に保たれる。それにより、近づきすぎによる異常放電の発生や、遠すぎによる静電ミスト１発生用電界が低下する懸念がなくなるという効果がある。
【０１３１】
水印加電極２の先端霧化部２９の周囲に位置する樹脂部材の垂直壁３０ｂ、庇３０ａおよび保持枠７０が帯電してしまうと、水印加電極２の先端霧化部２９の先端２９ａと対向電極３とで形成されるべき電界が低下して静電ミスト１を引っ張る力が弱くなる。そのため、静電ミスト１の発生量が減少したり、不安定になったりするか、もしくはより大きな電気を与えないと静電ミスト１が放出されなくなる。
【０１３２】
ここでは、対向電極３がグランド極となって電位０Ｖであり、水印加電極２に−４〜−６ｋＶのマイナスの直流電圧が印加される。例えば、水印加電極２に−５．８ｋＶの直流電圧を加えた場合に周囲の樹脂が−３〜−４ｋＶ程度に帯電されると影響が大きく、帯電量を−２ｋＶ以下にすると影響が小さい。また、帯電している樹脂を水印加電極２の先端霧化部２９の先端２９ａから離すことも有効である。
【０１３３】
そこで、本実施の形態においては、上下方向から水印加電極２を抑えて位置を固定している垂直壁３０ｂおよび保持枠７０を、水印加電極２の先端霧化部２９の先端２９ａからなるべく離すために、水印加電極２の先端霧化部２９の先端２９ａの方向に傾斜させることなく、水印加電極２と接触している位置から水印加電極２の設置面と垂直な方向に伸ばして配置した。
【０１３４】
更に、垂直壁３０ｂの長さｈ１（図８）を、水印加電極２の先端霧化部２９の先端２９ａに備えた最も電気が集まる角部と対向電極３の最も近い点を結んだ距離ｒ１（図８）以上とした。
【０１３５】
そして、垂直壁３０ｂの端部を庇３０ａの起点とし、水印加電極２の先端霧化部２９の先端２９ａに備えた最も電気が集まる角部（図８の上の角部）と、対向電極３の最も近い点を結ぶ距離ｒ１（図８）を半径とした円弧（図８に示す半径ｒ１の円弧）線上に庇３０ａがかからないように、半径ｒ１の円弧線の外に風防止壁３０を配置した。これにより、樹脂の帯電影響を−０．５ｋＶ前後抑制することができる。
【０１３６】
また、保持枠７０は外周と、水印加電極２の胴部２８の短辺方向の格子７０ａを１本または複数本とを有し、大きな四角形状の開口２６を備える。従って、保持枠７０と水印加電極２との接触場所は、外周と格子７０ａに限定されるので、保持枠７０の帯電量は少なくなる。
【０１３７】
具体的には、水印加電極２と保持枠７０との接触面積を水印加電極２の胴部２８の下面面積全体の５０％以下とすると、樹脂の帯電影響を抑制することができる。
【０１３８】
水印加電極２と保持枠７０との接触面積は小さいほどよく、３０％以下とすると顕著に帯電影響が抑制できる。これにより、樹脂の帯電影響を−０．５ｋＶ前後抑制することができる。
【０１３９】
先に述べたように、庇３０ａと対向電極３はお互いに触れないように配置したが、対向電極３の固定の仕方を詳細に述べる。
【０１４０】
対向電極３は部品点数を減らすために、水印加電極２を保持している保持枠７０を延長した対向電極保持部７０ｂ（図１２）で保持する。
【０１４１】
先端霧化部２９と保持枠７０の接点から対向電極３へと直接つながることなく、保持枠７０を一度横方向（左右）に伸ばしてから（図１４（ａ）の矢印）、コの字型（図１４（ａ）のコの字）に折り返した対向電極保持部７０ｂで対向電極３を保持している。
【０１４２】
対向電極３は、コの字型に折り返された後に合流してつながった対向電極保持部７０ｂにネジ３ｃで止めてもよいし、乗り越えリブにはめてもよい。
【０１４３】
また、保持枠７０は複数パーツで構成しても良い。この時、先端霧化部２９と保持枠７０の接点の重力方向下方のコの字にくりぬかれた部分は開口２７（図１４（ａ））となっており、例え、先端霧化部２９から余剰の水が流れ出してきても、樹脂が橋渡しとなって対向電極３に水が流れ込むことはない。
【０１４４】
また、先端霧化部２９と保持枠７０の接点から対向電極３までの距離は沿面距離の観点から３０ｍｍ以上とするのが好ましく、横方向に伸びて折り返した分だけ距離をかせぐことができる。これにより、樹脂の帯電影響を−０．５ｋＶ前後抑制することができる。
【０１４５】
一方、先端霧化部２９と保持枠７０との接点から対向電極３に直接つなぐ場合は、水の通路を作ってしまう以外にも、距離が非常に短くなり、帯電の影響やトラッキングの懸念が出てくる。
【０１４６】
対向電極３は横方向からのみ保持され、上方および下方からは保持しないことで効果が顕著になる。また、上下方向は対向電極保持部７０ｂと対向電極３とが非接触であり空間になっているので、上下方向に沿面距離をとる長く必要が無く、上下方向の省スペース化が期待できる。
【０１４７】
これらの施策により、例えば、水印加電極２に−５．８ｋＶの直流電圧を加えた場合の垂直壁３０ｂ、庇３０ａおよび保持枠７０の帯電量が−３ｋＶから−１．５ｋＶに軽減される。そのため、静電ミスト１への帯電の影響を最小レベルに抑制することができ、所望の電圧で安定して静電ミスト１が放出されるという効果を得ることができた。
【０１４８】
水印加電極２の設置方法について述べる。水印加電極２の胴部２８の短辺方向の幅と保持枠７０の幅（図１４（ａ））とをほぼ等しくしているので、短辺方向に公差より大きな隙間がなく、水印加電極２がむやみに動くことが無いようにした。
【０１４９】
従って、水印加電極２と対向電極３との極間距離が変わることがなく所望の特性をばらつきなく得ることができる。
【０１５０】
この時、上下方向の位置は、垂直壁３０ｂと保持枠７０の外周といった二つの絶縁物によって位置が決められている。垂直壁３０ｂは、胴部２８の長辺をわずかに覆うように長辺近傍を０．５〜１．０ｍｍ程度だけおさえて、長辺の角部が露出しないように覆うとよい。
【０１５１】
電気が集中する尖った角部があると、沿面距離を大きくとっていても不要な放電を起こす可能性がある。
【０１５２】
垂直壁３０ｂが胴部２８の長辺の角部を露出しないように覆うことで、胴部２８の長辺を形成する角部から冷却フィン８ｂなどへ不要な放電を起こすことを防止できる。また、胴部２８には充分な露出面が残るので、滴下された水滴は垂直壁３０ｂに当たることなく、速やかに胴部２８に吸い込まれる。他部位への不要な放電を起こさないので、安定して静電ミスト１を発生することができる。
【０１５３】
水印加電極２の材料として、セラミックをはじめとした多孔質体を用いることができるが、本実施の形態では三次元網目構造の金属多孔質体（詳細は後述する）を用いる。
【０１５４】
多孔質体は、金属スラリーを泡立たせて金属の穴を作ったところで焼結するため、製造時の下面側の孔径を小さく、泡が大きく広がる上面側の孔径を大きくすることができる。孔径とは穴の直径の平均値である。
【０１５５】
同様に穴の面積合計を開口面積で割った開口率も、製造時の下面側が小さく、上面側を大きくできる。孔径が小さいほど水滴が入りにくいが抜けにくく、孔径が大きいほど水滴が入りやすいが抜けやすい。
【０１５６】
本実施の形態においては、水印加電極２の設置方向として、保持枠７０に設置する下面側を孔径が小さい面、上面側を孔径の大きい面とした。つまり、上面側の孔径を下面側の孔径より大きくした。
【０１５７】
具体的には、上面側の孔径は下面側に比べて２倍くらい大きく、上面が２００μｍ程度であれば、下面は１００μｍ程度が好ましい。少なくとも、上面側の孔径または開口率を下面側に対して、１．５倍以上とすると効果がある。
【０１５８】
これによって、冷却フィン８ｂから滴下された水滴は、孔径の大きな面に滴下されるため、速やかに水印加電極２内部に吸い込まれる。
【０１５９】
また、下面の方が孔径の小さな面であるため、水印加電極２から下面方向に抜けて排出されにくくなり、より先端霧化部２９の方に移動しやすくなるという効果を有する。
【０１６０】
セラミックを水印加電極２に使用する場合には、孔径や空隙率の違うものを別々に作成してから上下に貼り合わせても同様の効果を得られる。
【０１６１】
また、金属多孔質体は原料である金属が硬く、かつある程度の厚みを有するために、切断（レーザーカット）する際には長辺方向および短辺方向の片面に必ずバリ２９ｂ（図４）が生じる。
【０１６２】
バリ２９ｂが下面にきてしまうと、保持枠７０にバリ２９ｂがひっかかってはまりにくいばかりでなく、無理やり入れることで水印加電極２が破損したり、保持枠７０が破損したりしてしまう恐れがある。
【０１６３】
本実施の形態においては、バリ２９ｂの方向が常に上面方向になるようにすることで、バリ２９ｂを下面に出さないようにした。
【０１６４】
この時、上面側のバリ２９ｂ近傍は、バリ２９ｂの大きさ分だけ空間を空けておけばひっかかることはない。
【０１６５】
また、切断加工時にバリ２９ｂを抑えるなどして、天面方向ではなく横方向にでるようにすれば、垂直壁３０ｂなど抑える側の樹脂がひっかかることもない。
【０１６６】
保持枠７０を水印加電極２の下面側から上面側に向かって傾斜しながら広げていくか、または水印加電極２の上面側と保持枠７０との間に隙間を空けることで、下面側はバリ２９ｂを気にすることなく確実に固定でき、上面側はバリ２９ｂが周囲の樹脂に触れることが無いので、組み付けが容易である。
【０１６７】
バリ２９ｂを上面にだし、かつ孔径の大きな面を上面にするために、金属多孔質体を切断（レーザーカット）する際には、加工によりバリ２９ｂが出る面と孔径の大きな面を合わせる必要がある。これによって、組み付け易さと水滴の取得しやすさ、移動しやすさの複数の効果が得られる。
【０１６８】
次に、変形例２の静電霧化装置２００について説明する。
【０１６９】
図１７、図１８は実施の形態１を示す図で、図１７は変形例２の静電霧化装置２００の側面図、図１８は変形例２の静電霧化装置２００に用いる水印加電極２の上面図である。
【０１７０】
変形例２の静電霧化装置２００は、先端霧化部２９の胴部２８に対する位置が、図１に示した静電霧化装置１００のように先端霧化部２９の突起位置が胴部２８の長辺方向側面上ではなく、胴部２８の一方の端部（短辺方向側面上）に設けられる。
【０１７１】
この場合も、静電霧化装置１００と同様に、胴部２８を結露水１０が滴下される複数の冷却フィン８ｂの積層方向に一致する方向に長辺方向を伸ばして設置する。
【０１７２】
図１８はこの静電霧化装置２００に用いられる水印加電極２の上面図であり、この図に示す寸法Ｌ３とＬ５は、静電霧化装置１００における水印加電極２のＬ３とＬ５（図４参照）と同じ寸法を表しており、冷却フィン８ｂの寸法Ｌ２、Ｌ４（図３参照）との位置関係も静電霧化装置１００と同様である。これにより、複数の冷却フィン８ｂから滴下する結露水１０を直接胴部２８上面で無駄なく確実に受け取ることができる。
【０１７３】
先端霧化部２９である突起は、冷却フィン８ｂの積層方向に突出するため、突出した先端霧化部２９の前方に対向電極３を設ける。
【０１７４】
変形例２の静電霧化装置２００も、水印加電極２自身が、水受け取り部であり、水搬送手段であり、かつ霧化部（静電ミスト１発生部）である、というように、三つの機能を備えており、効率的に水を先端霧化部２９に集めて、効率よく安定して静電霧化させることができるとともに、長辺方向の途中に突起が存在しないため、水印加電極２の配送作業が容易となって配送作業の信頼性が増す効果が得られる。
【０１７５】
図１９は実施の形態１を示す図で、変形例３の静電霧化装置３００の側面図である。図１の静電霧化装置１００との差異は、水印加電極２（先端霧化部２９および胴部２８）の設置角度である。
【０１７６】
静電霧化装置１００では、水印加電極２は、水平に設置され、冷却部８も、冷却フィン８ｂの積層方向および突出高さ方向ともに水平となっており、冷却フィン８ｂの下端面と水印加電極２の上面は、冷却フィン８ｂの積層方向にも突出高さ方向にも平行であった。
【０１７７】
しかし、図１９に示す変形例３の静電霧化装置３００では、冷却部８は静電霧化装置１００と同じく水平のままであるが、水印加電極２を、胴部２８から先端霧化部２９（胴部２８の長辺方向側面に突設）に向かって重力方向に角度θ１（図１９参照）だけ傾斜させて設置している。角度θ１の大きさは、５〜３０°程度である。
【０１７８】
このように水印加電極２を設置した静電霧化装置３００では、胴部２８から先端霧化部２９への水の搬送に、内部空隙の表面拡散による移動だけでなく、重力を利用できることになり、例えば、冷却部８で生成される結露水１０が少ない場合でも、胴部２８で受け取った結露水１０を素早く先端霧化部２９へ搬送できる効果を有する。
【０１７９】
次に、図２０は実施の形態１を示す図で、変形例４の静電霧化装置４００の側面図である。図１９の静電霧化装置３００とは、水印加電極２（先端霧化部２９および胴部２８）の傾斜方向が逆となっている点が異なる。
【０１８０】
図２０に示す変形例４の静電霧化装置４００では、冷却部８は静電霧化装置３００と同様に水平のままであるが、水印加電極２を、胴部２８から先端霧化部２９（胴部２８の長辺方向側面に突設）に向かって反重力方向に角度θ２（図２０参照）だけ傾斜させて設置している。角度θ２の大きさは、５〜３０°程度である。
【０１８１】
このように水印加電極２を設置した静電霧化装置４００では、例えば冷却部８に供給される空気の湿度が高く、結露水１０が過剰に胴部２８へ滴下される場合に、余剰水分を先端霧化部２９の突出方向と反対方向へと排水させることができる。
【０１８２】
この静電霧化装置４００では、余剰水分を先端霧化部２９とは反対側から排水することにより、余剰水分が先端霧化部２９の先端２９ａへ流れ込まないので、余剰水分により静電ミスト１の発生が阻害されることがなく、正確に安定して静電ミスト１を発生させることができる。
【０１８３】
なお、胴部２８から先端霧化部２９に向かって反重力方向に傾斜させて設置しても、水印加電極２は金属多孔質体から成るので、内部が水で飽和していなければ、内部の空隙（気孔）を表面拡散により、重力に逆らって水を先端霧化部２９に搬送することができる。
【０１８４】
次に、図２１は実施の形態１を示す図で、変形例５の静電霧化装置５００の側面図である。図１の静電霧化装置１００との差異は、冷却部８の設置角度である。
【０１８５】
図２１に示す変形例５の静電霧化装置５００では、冷却部８を、ペルチェユニット６側であるベース板８ａ（冷却フィン８ｂの基端）から冷却フィン８ｂの突端に向かって重力方向に角度θ３（図２１参照）だけ傾斜させて設置している。角度θ３の大きさは、１０〜３０°程度である。
【０１８６】
このように冷却部８を設置した静電霧化装置５００では、冷却フィン８ｂの表面に結露した水は、重力により冷却フィン８ｂの突端側へと導かれながら、下端へと伝っていくことになる。このため、冷却フィン８ｂの下端から滴下される水の滴下位置を、冷却フィン８ｂの突端側の狭い範囲に限定することができる。
【０１８７】
図１の静電霧化装置１００では、冷却フィン８ｂの突出高さＬ４（図３）の範囲がすべて滴下位置であったが、この静電霧化装置５００においては、結露水１０の滴下位置の範囲をＬ４（図３）よりも狭くすることができる。このため、水印加電極２の胴部２８の短辺方向幅をＬ４よりも小さくすることが可能となる。
【０１８８】
すなわち、静電霧化装置１００に比べて胴部２８の短辺方向幅を小さくすることができる。冷却フィン８ｂと対向して露出されている胴部２８上面の短辺方向の幅Ｌ５（図４参照）を、この静電霧化装置５００は、静電霧化装置１００よりも小さくできるのである。
【０１８９】
これにより、先端霧化部２９への胴部２８短辺方向の搬送距離が短くなるので、この静電霧化装置５００は、胴部２８で受け取った結露水１０の先端霧化部２９への搬送を、図１の静電霧化装置１００よりもさらに素早く行うことができるようになり、運転開始から静電ミスト１が発生するまでの時間をより短縮することができる、という効果が得られる。
【０１９０】
また、水印加電極２の体積を減少させることができ、省資源化、低コスト化も図ることができる。なお、図２１に示す静電霧化装置５００の水印加電極２の設置角度は、図１の静電霧化装置１００と同じく水平のままであるが、図１９の変形例３や図２０の変形例４のように傾斜させてもよく、そのように傾斜させれば、変形例３や変形例４の効果を合わせて奏することができる。
【０１９１】
なお、先に述べたが、水印加電極２内の水分量が多いと、テーラーコーンを形成した水の表面張力に対してクーロン力が勝てずに、水が先端霧化部２９の先端２９ａから離れにくくなり、すなわち、先端２９ａからなかなか飛び出さないことになって、静電ミスト１の発生が阻害されることがあるので、水印加電極２は、内部の空隙（気孔）を水で飽和させない方が静電ミスト１の発生効率がよい。そのため、ペルチェユニット６への通電を制御して、水印加電極２が水で飽和しないように、結露水１０の生成量をコントロールするのがよい。
【０１９２】
これまでは、複数の変形例を含め、静電霧化装置１００〜５００の構造、特に水印加電極２の形状や設置構成について説明してきたが、ここからは、水印加電極２の構造について詳細に説明する。ここまで説明してきたこの実施の形態における静電霧化装置１００〜５００のすべてにおいて、水印加電極２はその材料として金属多孔質体である発泡金属を用いて形成されている。
【０１９３】
従来の静電霧化装置では、水の搬送と放電を兼ねる多孔質体材料として、チタニア、ムライト、シリカ、アルミナなどのセラミックが使用されていた（例えば特許文献１）。セラミックは毛細管現象で水の搬送ができ、また加工性がよい、高電圧からの耐摩耗性にも優れるなどの利点を有している。
【０１９４】
しかしながら、セラミックは、内部の気孔率（気孔の含有割合）が１０〜５０％程度、気孔の孔径（呼び孔径）が０．１〜１．０μｍ、大きくても３．０μｍと、多孔質体ではあるが、内部は比較的目が詰まった材料であり、先端の放電部まで霧化する水を毛細管現象で搬送するのに時間がかかり、運転開始からミスト発生までに時間がかかる、また、不純物により気孔が目詰まりしたり、水がブリッジしたりして、長期間に渡って、吸水性や搬送性能を高く維持できない、という欠点があった。さらに、セラミックは体積抵抗率（電気抵抗率）が高いため、霧化させる水に、セラミックに印加した高電圧が十分に作用せず、霧化が起こりにくく、充分な量のミストが得られないという課題もあった。
【０１９５】
また、放電側の電極として、多孔質材料でなく金属棒を使用する場合では、金属棒は内部に気孔が存在しないため、放電部となる先端まで水を搬送することができない。そのため、金属棒そのものを冷却して先端表面に直接結露水を生成させる場合もあるが、金属棒の先端表面で結露する水だけでは、水分量が少なく、充分な量のミストが得られないという課題があった。
【０１９６】
そこで、本実施の形態では、充分な吸水性能、搬送性能を持ちながら、低い電気抵抗率（体積低効率）、高い電気伝導性を有して、霧化する水に効率よく電気を伝えて帯電させることができる材料として、金属多孔質体である発泡金属を、水印加電極２の材料として用いるに至った。
【０１９７】
ここで発泡金属とは、三次元網目状構造を持つ金属多孔質体と定義する。三次元網目状構造は、スポンジに代表される樹脂発泡体として知られており、これと同じ構造である。金属多孔質体としては、焼結金属がよく知られているが、発泡金属が焼結金属と相違する点は、三次元網目構造により、気孔率が高いこととその気孔の孔径が大きいことである。
【０１９８】
発泡金属は、スラリーと呼ばれる金属を含有する液体の混合物中に、発泡剤を投入してこれを発泡させた状態で、非常に高い温度で焼結して作られる。これにより、各種金属や合金を素材とした発泡体を作ることができる。このように製作した発泡金属は、連続気孔構造を有する。これまでは、主にフィルター、触媒担持体、燃料電池用ガス拡散層などに使用されていたが、今回、静電霧化装置の電極材料として優れた特性を有することを見出した。
【０１９９】
発泡金属の最も顕著な特徴は、高い気孔率にある。気孔率とは、空隙率ともいい、気孔の含有割合を示すもので、発泡金属内部にどれだけ吸水できるかを調べることで評価できる。この評価方法は、液体中の物体が排除した液体の重さに等しい浮力を受けるというアルキメデスの原理に従っている。
【０２００】
本実施の形態の水印加電極２に使用する発泡金属では、三次元網目状構造により、その気孔率を６０〜９８％と非常に高く設定することが可能である。したがって、発泡金属内部に、すなわち水印加電極２がたくさん吸水することができる。しかし、あまり気孔率が大きすぎると、吸水力を大きくできても、吸水した水が漏れ出す恐れがあるので、水印加電極２としては、気孔率を６０〜９０％に設定するのがよい。
【０２０１】
一方、多孔質体として従来から用いられてきたチタニアやムライトなどのセラミックでは、気孔率は１０〜５０％程度、多くは３５％前後であることが多い。また、発泡金属ではない一般的な焼結金属の場合も気孔率は高いものでも５０％程度であり、発泡金属の気孔率は明らかに高いものである。
【０２０２】
また、発泡金属の他の大きな特徴として、気孔径が大きいことが挙げられる。
【０２０３】
図２２は実施の形態１を示す図で、水印加電極２に用いる発泡金属の説明用拡大概念図である。
【０２０４】
図２２は、平面（二次元）状で示しているため、各々の気孔が独立しているように見えるが、実際の発泡金属は、三次元的に気孔が連続している連続気孔構造体である。図１２に示すように、本実施の形態の静電霧化装置１００〜５００にて水印加電極２として用いられる発泡金属は、焼き固まった金属部２２と空隙部となる気孔２１で構成される。ここで、気孔２１の直径を孔径と定義する。孔径は、電子顕微鏡で撮影される画像により、その大きさを判断することができる。また、水銀圧入式ポロシメータやガス吸着測定装置を使って、孔径だけでなく、気孔の分布状態を測定することも可能である。
【０２０５】
水印加電極２の発泡金属の孔径は１０〜１０００μｍが妥当であるが、孔径が５０〜６００μｍの発泡金属が、吸水性や目詰まり防止の観点から好適であり、さらに剛性や生産性（加工性）を考慮すると１５０〜３００μｍが最適である。
【０２０６】
セラミックのように孔径が１０μｍ未満であると、孔径が細かくなり過ぎて（小さ過ぎて）目詰まりする危険性が高いし、吸水量も小さい。また、気孔２１の大きさを安定して小さく揃えることは発泡金属の製造上、困難なものである。逆に、孔径が１０００μｍを超えると、連続する気孔２１を通して吸水した水が漏れ出しやすくなり、水を胴部２８から先端霧化部２９へと搬送しがたくなる。
【０２０７】
ここで、水印加電極２に使用している発泡金属と、従来から放電側の電極に使用されていたセラミック多孔質体との吸水量の比較を行う。図２３にその結果を図示する。
【０２０８】
図２３は実施の形態１を示す図で、発泡金属と比較例との吸水量を比較した図である。
【０２０９】
オーステナイト系ステンレスのＳＵＳ３１６を素材とした発泡金属である実施例１では、吸水量が約０．５ｇ／ｃｍ３であり、チタンを素材とした発泡金属である実施例２では、約０．４ｇ／ｃｍ３である。一方、セラミック材では、比較例１のムライト、比較例２のチタニアともに、約０．２ｇ／ｃｍ３であり、発泡金属が、セラミックの２倍の吸水性能を有していることがわかる。
【０２１０】
高い気孔率と大きい孔径を内部に持つ発泡金属は、図２３に示すようにセラミックに比べて高い吸水性能を有する。吸水性能が高い（言い方を変えれば吸水量が多い）ということは、内部を水が移動できる量および移動速度も大きいことを意味する、すなわち搬送性能も高いことになる。そのため、発泡金属から成る水印加電極２は、セラミックで形成する場合よりも先端霧化部２９に素早く水を移動でき、かつ吸水量が多いことで、静電霧化装置１００〜５００の運転開始から静電霧化が始まるまでの時間が短くできるとともに、胴部２８から先端霧化部２９への水の搬送が一時的に途絶えて、静電霧化が途切れてしまうような事態を防止して、正確に安定して静電ミスト１を発生させることができる。
【０２１１】
また、発泡金属は内部の三次元的に連続した気孔２１を主として表面拡散により水が移動するので、水印加電極２の設置方向は、重力方向とは無関係に先端霧化部２９を天井方向に向けたり、水平に向けたりして使用できる。そして、連続気孔構造であり、その気孔２１の孔径が大きいので、長期に渡って目詰まりすることなく、安定して水を先端霧化部２９へと搬送できる。
【０２１２】
続いて、図２４に発泡金属と他の多孔質体との電気抵抗率を比較した結果を、図２５に発泡金属から成るこの実施の形態の水印加電極２と、この水印加電極２と同一形状でセラミックにて形成した水印加電極との静電霧化量を比較した結果を示す。
【０２１３】
図２４、図２５は実施の形態１を示す図で、図２４は発泡金属と比較例との電気抵抗率を比較した図、図２５は発泡金属と比較例との静電霧化量を比較した図である。
【０２１４】
ここで、静電霧化量とは、ミスト発生量であり、上記の水印加電極を用いて静電霧化装置が単位時間当たりに生成した（水印加電極から飛び出した）静電ミスト１の重量を示すもので、規定容積箱内部の湿度上昇度から試算することができる。なお、図２５において、高電圧電源部４の供給電圧は同一としている。
【０２１５】
静電霧化装置１００〜５００では、水印加電極２の先端霧化部２９の水に高電圧が作用し、高電圧の印加により作られるクーロン力が、水の表面張力を上回ることで、先端２９ａから帯電している水が飛び出し、次々と破砕（レイリー分裂）して静電ミスト１として対向電極３の開口から気中に放出される。従って、水印加電極２に存在する水に効率よく電気をかけることが重要である。すなわち、高電圧電源部４から供給された高電位を、ロスをいかに少なくして水印加電極２に存在する水（冷却フィン８ｂから滴下された結露水１０）に伝えて水を帯電させられるかが重要であり、そのためには、水印加電極２自身が有する電気抵抗が小さいほどその抵抗で消費されるロスを小さくでき、電気伝導性が高まって効率よく水を帯電できる。そして、水印加電極２の電気抵抗は、その材料によって特定されることが多い。
【０２１６】
発泡金属の電気抵抗率は、発泡体であるとは言えあくまで金属であって導体であるので、素材がステンレス鋼であるＳＵＳ３１６の実施例１でも、チタンの実施例２であっても、１×１０−７Ω・ｍ程度と電気抵抗が非常に小さく、電気を良く通す、すなわち電流によるロスを小さくして効率よく水に電気を流して帯電させることができる。一方で、セラミック材の電気抵抗率は、比較例１に示すムライトで１×１０１４Ω・ｍ、比較例２に示すチタニアで１×１０１２Ω・ｍと電気抵抗は大きく、セラミック材は、導体とは言えず、半導体から絶縁体の間である。比較例３の樹脂発泡体であるスポンジと同程度の高い電気抵抗率を示す。
【０２１７】
このように、発泡金属を材料として水印加電極２を形成することで、セラミックを材料とするものよりも効率よく水を帯電させることができる。すなわち、高電圧電源部４が供給する高電圧が同じ大きさであれば、発泡金属を材料として形成されているこの実施の形態における水印加電極２を用いた方が、セラミックを材料とする場合よりも、水に電流が伝わりやすく、効率よく水を帯電することができる。発泡金属を材料として水印加電極２を形成することで、電気抵抗が小さくなるので、静電霧化で消費される電力を、セラミックを材料とするものよりも小さくすることができ、省エネルギー化に貢献できる。
【０２１８】
また図２５により、水印加電極２を同一形状にして、高電圧電源部４の供給電圧を同一とした場合の静電霧化量を比較すると、発泡金属を材料として形成した水印加電極２の静電霧化量は、発泡金属の素材がＳＵＳ３１６の実施例１、チタンの実施例２ともに、水印加電極２の１本あたり約０．１５ｃｃ／ｈｒであった。一方、セラミック材では、それが比較例１に示すムライトで０．０６ｃｃ／ｈｒで、比較例２に示すチタニアで０．０８ｃｃ／ｈｒであり、発泡金属の実施例よりも少なかった。
【０２１９】
同じセラミックであっても、チタニアの方がムライトよりも静電霧化量が多いが、図２４から、チタニアの電気抵抗率が、ムライトよりも２桁低いことがわかる。図２４、図２５において、セラミック同士、すなわち比較例１と比較例２を比べることでもわかるが、水印加電極が電気を通しやすい（電気抵抗率が小さい）方が水に効率よく電気をかけられ帯電でき、先端霧化部２９の先端２９ａに形成された水のテーラーコーンがクーロン力によって飛び出しやすくなって、静電霧化量が増加するといえる。これらの結果から、導体であり電気抵抗率が低い発泡金属を静電霧化装置１００〜５００の水印加電極２に用いた場合、従来のセラミック材に比べて、霧化する水に高電圧を効率よく印加でき（帯電させることができ）、高電圧電源部４の供給電圧が同じ大きさであれば、静電霧化量（静電ミスト１の発生量）を増やすことができる。
【０２２０】
なお、発泡金属の水印加電極２は、厚みが０．５ｍｍ〜５．０ｍｍ程度の大きなシート状発泡金属体を作成し、それから所望の形状（連続する胴部２８と先端霧化部２９）に切り出して製作する。シート状発泡金属体を板厚方向に複数枚積み重ねて、複数枚を同時に切り出すことで大量生産が可能である。切り出しは、ワイヤーカットやレーザーカットにより行われる。その他トムソン刃やプレスによる打ち抜き、機械切削による削り出し、手切断、曲げ加工など各種の加工方法を用いて、所望の形状に加工することができる。この水印加電極２では利用することはないが、発泡金属は、溶接やロウ付による接合も可能である。
【０２２１】
次に、図２６に発泡金属の素材（材質）の違いによるオゾン発生量の比較結果を示す。
【０２２２】
図２６は実施の形態１を示す図で、発泡金属の素材の違いによるオゾン発生量を比較した図である。
【０２２３】
水印加電極２から対向電極３に向かって放電が起こる場合、放電に伴ってオゾンが生成される。オゾンは、適量であればその殺菌作用を利用することにより有益であるが、生成量が過多となると、その青臭い臭気から人間にとっては異臭と感じられたり、酸化作用や腐食作用を人間や周囲の物質に及ぼしたりすることもある。従って、静電ミスト１を放出するための静電霧化装置１００〜５００においては、放電により生成されるオゾンの発生量をできるだけ抑えたい。
【０２２４】
そこで発泡金属により形成された水印加電極２におけるオゾンの発生量を実験により調査した。実験内容は、水印加電極２に所定の同じ大きさの高電圧を付与した場合に、４２Ｌ（リットル）箱（４２Ｌ槽）内部のオゾン濃度の定常値を調査するものである。
【０２２５】
図２６において、比較例４に示す発泡金属は、オーステナイト系ステンレスとして一般的によく知られているＳＵＳ３０４（ニッケル含有量８〜１０．５％、クロム含有量１８〜２０％）であるが、この場合のオゾン発生量として、４２Ｌ槽内部のオゾン濃度が１．２ｐｐｍとなった。一方、同じオーストナイト系ステンレスであるが、ニッケル含有量が１１〜１５％、クロム含有量が１６〜２０％で、かつモリブデンが１〜４％含有されたＳＵＳ３１６を用いた実施例１の場合では、４２Ｌ槽のオゾン濃度は、比較例１のＳＵＳ３０４に比べ約６０％の０．７ｐｐｍとなった。
【０２２６】
同じオーステナイト系ステンレスであっても、ニッケルの含有量が多く、また、モリブデンが数％含有されている方が、オゾン発生量が少ないことがわかった。そのため、ステンレスを素材とする発泡金属により水印加電極２を形成する場合では、ニッケルの含有量が１１％以上で、モリブデンが１〜４％含有されたオーステナイト系ステンレスを素材とするのがよい。実施例１のＳＵＳ３１６以外でも、ＳＵＳ３１６Ｌ、ＳＵＳ３１７が、ニッケルの含有量が１１％以上で、モリブデンを含有しており、オゾン発生量をＳＵＳ３０４に比べて少なくできる。
【０２２７】
図２６において実施例２で示すチタンが素材の発泡金属で形成されたものが、オゾン発生量が最も少なく、４２Ｌ槽のオゾン濃度が０．０３ｐｐｍで、比較例４（ＳＵＳ３０４）の１／４０、実施例１（ＳＵＳ３１６）の１／２３と、大幅にオゾン発生量を抑制できることがわかった。また、実施例３で示すニッケルを素材とした発泡金属を用いた場合では４２Ｌ槽内部のオゾン濃度は０．３ｐｐｍとなり、実施例２（チタン）ほどのオゾン発生の抑制効果は得られないが、実施例１（ＳＵＳ３１６）よりもオゾン発生の抑制効果が大きい。
【０２２８】
このようなオゾン発生抑制効果は、発泡金属の素材が還元作用を及ぼすことで、生成されたオゾンが分解されるためと考えられる。すなわち、水印加電極２の材料として、還元作用のある金属を素材とすることで、オゾン発生量を抑制できる。そして、図２６の実施例においては、チタンがオゾンの還元作用が最も強く働くものと考察される。チタンほどではないが、実施例３の結果からニッケルも還元作用が働くものといえる。そのため、オーステナイト系ステンレスにおいては、ニッケルの含有量が多いＳＵＳ３１６の方がオゾン発生量を抑制できると考えられ、モリブデンもオゾンを還元する作用を及ぼしていると考えられる。また、水印加電極２の材料として発泡金属を使用することにより、水を効率よく帯電させられるので、オゾンそのものの生成が少ないということも考えられる。
【０２２９】
また、水印加電極２から対向電極３へ放電が起こる場合、放電に伴ってヒドロキシルラジカルやスーパーオキサイドといったラジカル（活性種）が生成されることもあるが、このようなラジカルは、化学的に反応性が極めて高く、活性であるが故に非常に不安定な物質であり、酸素や窒素など空気中の分子とすぐに反応するので、空気中で極めて短寿命であり、生成されてもほぼ瞬時に消滅してしまうため、たとえラジカルが生成されたとしても、それらが静電ミスト１とともに放出されることはないし、静電ミスト１がラジカルを含むこともない。
【０２３０】
以上の結果から、水印加電極２として最も好ましい材料は、チタンを素材とした発泡金属であると言える。また、ＳＵＳ３１６、チタン、ニッケルを素材として用いた発泡金属では、高電圧を印加することによる電気腐食や電気摩耗も防ぐことができ、長期に渡って水印加電極２の形状、特に先端霧化部２９の尖り形状を保持することができる。そのため、静電霧化を長期に渡って安定して実施することができる、という効果も得られる。この効果においても、特にチタンを素材とするものが材料の特性から顕著である。
【０２３１】
これまで、発泡金属は、高い気孔率と大きい孔径の三次元網目構造を有するので、高い吸水性と搬送性（水の移動速度が速い性質）を持つことを説明してきた。また、このような性質を利用して、本実施の形態に示す静電霧化装置の水印加電極２の材料として発泡金属が好適であることを説明してきた。ここで更に、発泡金属を酸化処理することにより、内部の気孔２１表面の親水性が向上し、水印加電極２の吸水性と搬送性が高まることを見出した。酸化処理は、発泡金属を酸素雰囲気に曝すことでなし得る。
【０２３２】
酸化処理による親水性向上は、素材がチタンである場合に特に顕著である。チタンを酸化処理すると、表面層は酸化チタンに近い性質となる。酸化チタンは紫外線などのエネルギーを受けると周りにある水と反応して最表面に水酸基（ＯＨ基）を作るため、水と非常になじみやすい性質（高い親水性）を有するようになる。このため、水が表面拡散で移動する際に、水が止まることなく広がって進むので、発泡金属の内部で水を効率よく素早く移動させることができる。素材がチタンの発泡金属では、酸化処理を行ったものが、酸化処理を行っていないものに比べて水の移動速度が５倍程度速くなるという結果が得られている。
【０２３３】
素材がチタン以外のニッケルなど他の金属材料を素材とする発泡金属の場合でも、酸化処理の際に表面に親和性を有する層を作るので、水へのなじみ性（親水性）が向上する。ただし、素材がチタンである発泡金属を酸化処理した場合の親水性の向上効果が顕著であり、水の移動速度が速くなって、水印加電極２における吸水性と搬送性の向上効果が高い。酸素雰囲気に曝す酸化処理では、発泡金属で形成された水印加電極２の外表面のみではなく、高い気孔率と大きな孔径を備えた連続気孔構造により、連続気孔を通過して内部の気孔２１に面する表面にも酸化処理がなされ、気孔２１に臨む内表面も含めた金属部２２のすべての表面に対して親水性が向上し、水の移動速度を高めることができる。このため、静電霧化装置１００〜５００の運転開始から静電ミスト１の放出までの時間を短くできる。
【０２３４】
以上のように、本実施の形態に係る静電霧化装置１００〜５００の水印加電極２は、三次元網目構造を有する発泡金属を材料に用いて形成されていることを特徴の一つとしている。このため、吸水量が多く、水の移動速度が速いので、静電霧化装置１００〜５００の運転開始から霧化が始まる（静電ミスト１が放出される）までの時間が早い。そして、発泡金属は、電気抵抗率が低くて電気伝導性に優れているため、霧化する水に効率よく電気をかけられ帯電でき、霧化量が増加する、という効果を有する。
【０２３５】
また、電気腐食や電気摩耗を防止でき、長期に渡って水印加電極２の形状、特に先端霧化部２９の尖り形状を保持することができる。そのため、静電霧化を長期に渡って安定して実施することができる、という効果を有する。
【０２３６】
また、高い気孔率のために多量の水を吸水することができるとともに、孔径が大きいために、長期に渡って目詰まりすることなく長期に渡って安定した高い吸水性と搬送性を維持でき、静電霧化を長期に渡って安定して実施できる、という効果を有する。
【０２３７】
また、発泡金属の素材に、還元作用のある金属である、チタンやニッケル、また、ニッケルを１１％以上、かつモリブデンを数％含有するオースナイト系ステンレスのいずれかを用いることで、放電によって生成されるオゾンの発生量を抑制できる、という効果を有する。この効果は、特にチタンを素材とした発泡金属で水印加電極２を形成した場合に顕著である。
【０２３８】
また、発泡金属の表面を、焼結後に酸化処理したものを材料として水印加電極２を形成すれば、内部表面の親水性が高まり、水の移動速度が更に向上する、という効果を有する。
【０２３９】
なお、ここまで説明してきた三次元網目構造を有する発泡金属は、その高い吸水性と搬送性から、本実施の形態で示す静電霧化装置１００〜５００の水印加電極２に限らず、他の形態の静電霧化装置であっても、放電部までの水搬送を兼ねる電極に用いれば、本実施の形態の水印加電極２と同様な効果を得ることができる。例えば特許文献１の静電霧化装置では、水供給部となる水溜め部の水をセラミック多孔質体からなる直立した搬送体に毛細管現象でその上端まで搬送させ、針状に尖る上端に水のテーラーコーンを形成させてミストを生成するが、この搬送体（水印加電極２に相当するものである）を、セラミックではなく、ここまで説明した発泡金属で形成すれば、水の搬送速度が著しく上昇し、セラミックで形成する場合よりも運転開始から静電霧化までの時間が短縮できるし、また、放電部となる針状に尖った上端が、電気腐食や電気摩耗することを防止でき、長期に渡って尖り形状を維持でき、セラミックで形成する場合よりも静電霧化を長期に渡って安定して実施できるようになる。
【０２４０】
これより、本実施の形態の静電霧化装置１００〜５００のいずれかを、空気調和機５０の内部に搭載した場合について説明する。
【０２４１】
図２７乃至図３１は実施の形態１を示す図で、図２７は静電霧化装置１００〜５００のいずれかを備えた空気調和機５０の縦断面図、図２８は空気調和機５０の部分縦断面図、図２９は空気調和機５０の外観斜視図、図３０はセンサー８０とサーモパイル８１を示す図、図３１はセンサー８０付近の斜視図（（ａ）はセンサー８０が右端端部へ可動した状態、（ｂ）はセンサー８０が中央部へ可動した状態、（ｃ）はセンサー８０が左端端部へ可動した状態）である。
【０２４２】
図２７乃至図２９に示す空気調和機５０は、一般的な壁掛け型のものである。
【０２４３】
空気調和機５０は、室内空気を吸い込む吸い込み口４１と、調和空気を室内へ吹き出す吹き出し口４２と、室内空気から調和空気を生成する逆Ｖ字型の熱交換器５１（前面上部熱交換器５１ａ、前面下部熱交換器５１ｂ、背面熱交換器５１ｃからなる）と、熱交換器５１で結露した水を受けるドレンパン４０（二箇所）と、送風ファン４３とを備えている。空気調和機５０本体の上方に位置する吸い込み口４１から送風ファン４３の回転によって流入した室内空気は、熱交換器５１を通過する際に冷凍サイクルの冷媒と熱交換されて温度湿度が調節されて、送風ファン４３を通過して、下方に位置する吹き出し口４２から調和空気となって室内に吹き出される。
【０２４４】
吹き出し口４２には、吹き出される調和空気の風向を変更できる左右風向板４４と上下風向板４５が設置されていて、吹き出し流の吹き出し方向が調整されている。吹き出し流の左右方向の風向を変更可能な左右風向板４４が、吹き出し流の上下方向の風向を変更可能な上下風向板４５の上流側に位置している。また、ドレンパン４０で回収した熱交換器５１の結露水は、図示しないドレンホースを通って、屋外に排出される。
【０２４５】
ここで、この空気調和機５０では、静電霧化装置１００〜５００のいずれかを、前面下部熱交換器５１ｂの風上側（上流側）、もしくは背面熱交換器５１ｃの風上側（上流側）のいずれかであって、ドレンパン４０の上方に設置している。ドレンパン４０の上方に静電霧化装置１００〜５００のいずれかを設置すれば、冷却部８の結露水１０が多量であって余剰水分が生じた場合であっても、ドレンパン４０がそのような余剰水分を受け取って、熱交換器５１の結露水といっしょに屋外へ排出するので、設置した静電霧化装置１００〜５００のいずれかの余剰水分が室内へ漏れ出す恐れがない。
【０２４６】
空気調和機５０に、静電霧化装置１００〜５００のいずれかを設置することにより、静電霧化装置から放出された多量の静電ミスト１を、吸い込み口４１から吸い込まれた室内空気といっしょに熱交換器５１を通過させ、吹き出し口４２から調和空気ととともに、室内へ放出させることができる。送風ファン４３の回転によって生成される調和空気の吹き出し流に乗って、調和空気とともに静電ミスト１も室内へと放出されるのである。
【０２４７】
空気調和機５０には、人の位置を見分けることができるセンサー８０（例えば、赤外線センサー）が搭載されている。センサー８０は、ユニット（室内機で、ここでは空気調和機５０のこと）中央部で前面パネルに設置されるか（図２９の例）、ユニット右端部（空気調和機５０を正面から見る場合）の電気品に近い部分に設置される。
【０２４８】
センサー８０は、縦方向に並べた複数のサーモパイル８１（図３０）を用いて横方向に動かしてスキャニングすることにより（図３１）、複数の熱画像を取得することで、背景との温度差から人間の存在有無を検出するものであり、肌が露出されているほど検出が容易である。
【０２４９】
また、画素数が多いほど検出精度が高く、明確に人の位置および空気調和機５０からの距離を、空気調和機５０が把握することができる。画素数としては７００画素もあれば充分に室内の人の位置を把握できる。当然、サーモパイル８１でなくとも人の位置を見分けるためにカメラなど画素数の高いものを用いても良い。また、検出精度は下がるが、フレネルレンズを用いた焦電センサーによって、人のいるエリアや人のいる位置（横方向、奥行き）を見分けても良い。
【０２５０】
空気調和機５０には、自動で方向を変更できる左右風向板４４と上下風向板４５が備えられている。上下風向板４５は、中央で２枚に分割されており、手前と奥など室内の任意の奥行き方向２箇所に風を届けることができる。
【０２５１】
また、左右風向板４４も中央を境に左部分と右部分でそれぞれ独立したモーター（例えば、ステッピングモータ）により駆動されて、室内の任意の左右方向二箇所に風を届けることができる。また、これらを同時に組み合わせることで、複数の風を作りだすことができる。
【０２５２】
センサー８０を用いると人の位置を詳細に判別することができるので、左右風向板４４と上下風向板４５を使用することにより、人に向けて風を当てる運転（以下、風あて運転と呼ぶ）をすることもできるし、人を避けて風を送る運転（以下、風よけ運転と呼ぶ）をすることもできる。
【０２５３】
人の位置は、人として判別させても良いし、あるエリアごとに人の存在エリアとして割り当てて、そのエリアに対して風あて運転または風よけ運転を行うこともできる。
【０２５４】
人は、風を受けると蒸発速度が上がり肌表皮から水分が失われて乾燥してしまう。風を直接当てた場合（風速約１．０ｍ／ｓ）と当てない場合（風速約０．１〜０．３ｍ／ｓ）の肌乾燥速度の差はおよそ３倍にもなる。
【０２５５】
風を直接当てた場合は乾燥が速く、乾燥感を感じてしまう。その時の肌の水分量は１５％程度異なり、風を直接当てた場合の方が肌の水分量は少ない。
【０２５６】
主流が作り出す乾燥領域は、空気調和機の吹き出し口４２の幅に相当し、およそ人間の肩幅に相当する。従って、肌水分量にとっては風を直接当てない方がよいが、風を人から大きく避けて運転すると充分な暖房の暖かさや冷房の冷たさを感じることができない。また、空気調和機を使用すると乾燥してしまう、または乾燥感を与えてしまうことが大きな課題であった。
【０２５７】
そこで、本実施の形態の空気調和機５０は静電霧化装置１００〜５００のいずれかを備えている。空気調和機５０の吹き出し口４２から調和空気とともに、室内へ静電霧化装置１００〜５００のいずれかで生成された多量のナノメータサイズの静電ミスト１が放出される。静電ミスト１はマイナスに帯電しているので、電位差のある人体へ寄りやすく、そして、静電ミスト１の大きさは人体の角質細胞より小さいため、顔や首など露出している肌に浸透して、ユーザに保湿効果を付与する。また、肌を親水化する作用を示し、低湿度時に周囲の水分を取り込めない状況にあっても、周囲の水分との馴染みをよくして水分を取り込む接着剤効果を示すので、静電ミスト１が少量であっても保湿効果を付与できる。また、静電ミスト１は液体を原料としているため、Ｎ、Ｃ、Ｈ、Ｏなど空気原料で構成されるマイナスイオン等に比べて寿命が長く、数分間浮遊することができる。
【０２５８】
これにより、以下の効果が得られる。
（１）暖房運転時のユーザの肌保湿効果が高まる（肌の水分量が増加する）。
（２）肌の水分量が増加することで、ユーザの体感温度は高まる。
（３）その分、暖房時の設定室温を下げることができ、その分空気調和機５０の消費電力量が低下し、省エネルギー化に貢献（寄与）する。
【０２５９】
暖房運転時に使用者の顔や首など露出している部分の肌の水分量が２５％増加すると、室内湿度が約２０％ＲＨ増加したことに相当する。そして、室内湿度の約２０％ＲＨの増加は、人の体感温度が約１ｄｅｇ上昇することに相当する。暖房運転時に設定温度を１ｄｅｇ下げれば、空気調和機５０の消費電力量を約１０％削減することができる。
【０２６０】
ナノメータサイズの静電ミスト１が保湿効果を与えることで、空気調和機５０を使用した場合に乾燥感を低減することができる。
【０２６１】
更に、センサー８０を用いて人の位置を判別し、人を中心として風よけ運転を行うことで、人が直接風を受けないので、乾燥感を低減することができる。
【０２６２】
避ける幅としては、少なくとも空気調和機５０の吹き出し口４２の幅以上に風を避けて運転すると効果が得られる。
【０２６３】
また、風よけ運転を行いながら、静電ミスト１を放出する併用運転を行った場合、人が直風を受けることがないので乾燥感を感じることがないとともに、静電ミスト１は直接人に向かって提供されなくても、マイナスに帯電しているので、電位差のある人体へ寄っていくので、ユーザに保湿効果を付与することができる。従って、風よけ運転によって乾燥を抑制する効果と、静電ミスト１によって得られる保湿効果の二つの相乗効果を得ることができる。
【０２６４】
センサー８０によって、人のいる位置を判別し、エリアごとに人の存在エリアとして割り当てる場合には、人のいるエリアの隣のエリアに静電ミスト１を含んだ風を吹けばよい。
【０２６５】
また、独立駆動できる左右風向板４４および分割された上下風向板４５を用いて、人のいるエリアの両隣に静電ミスト１を含んだ風を吹いてもよい。
【０２６６】
左右に避けられない場合には、人のいるエリアの手前に静電ミスト１を含んだ風を吹いてもよい。
【０２６７】
人のいるエリアのすぐ隣のエリアに静電ミスト１を含んだ風を吹く理由としては、避けすぎた場合には暖房感や冷房感を損なうためである。
【０２６８】
人のいるエリアは細かく分割するほど、暖かさと冷たさを損なうことなく、肌を保湿することができる。少なくとも室内を縦、横ともに５分割以上のエリアに区切ると良い。
【０２６９】
静電霧化装置１００〜５００のいずれかを備えた空気調和機５０について、更に詳細に述べる。
【０２７０】
ペルチェユニット６の両面には、放熱部７と冷却部８を備えるが、冷却部８は放熱部７よりも容量が充分に小さい。放熱部７は放熱量が増えるのでスペースが許す限り大きくするのがよいが、冷却部８は小さくしすぎると表面温度は下がるものの、通過する風量が少なくなるために除湿量（結露量）が低下する。逆に、大きすぎると通過風量が多くなり除湿量（結露量）が増えるものの、通過する空気に吸熱能力を持っていかれてしまうため、表面の温度が充分に下がらない。必要な除湿量に応じて、冷却部８の容量を決めればよいが、冬場（暖房時）の絶対湿度は非常に低く、露点温度は概ね１０℃以下であり、相対湿度３０％〜３５％ＲＨの悪条件では２〜５℃程度である。従って、冷却フィン８ｂの温度を０℃近傍まで下げないと静電ミスト１の原料となる結露水を得ることはできないため、冷却フィン８ｂの容量は放熱部７に比べて充分に小さくするのが好ましい。
【０２７１】
冷却部８を効率よく冷やすために、冷却部８の大きさとペルチェユニット６の大きさを略等しくするとよいが、冷却部８が小さいために、その上部および左右には放熱露出部７ａ（図１５、図１６（ｂ））が露出する。
【０２７２】
放熱露出部７ａは、放熱部７のフィンを有しない面であって、ペルチェユニット６を有する面のペルチェユニット６から露出している部分である。
【０２７３】
放熱露出部７ａを流れた空気が冷却部８に混ざると、放熱した暖かい空気が冷却部８の吸熱を妨げてしまう。そこで、冷却部８に放熱露出部７ａが通過した風が来ないように、冷却部８の左右に遮断壁６２（図１２、図１５、図１６（ｂ））を設けた。
【０２７４】
冷却部８の左右の遮断壁６２により、放熱露出部７ａを通過した空気は冷却部８に触れることなく下方に流れていく。
【０２７５】
遮断壁６２は、水供給部保持枠６０に冷却フィン８ｂと平行に水供給部保持枠６０から、放熱部７側に突出している。
【０２７６】
また、冷却部８の上部にある放熱露出部７ａには、樹脂（冷却部保持枠６３）でカバーをして熱交換を抑制することで、放熱露出部７ａを通過した暖かい空気を冷却部８に流さないようにした。詳細は後述する冷却部保持枠６３（図９、図１５）を、熱交換を抑制するカバーに流用した。
【０２７７】
冷却部８は、ペルチェユニット６にシリコンやエポキシなどを原料とした水密防止の効果を持った接着剤によって保持されている。
【０２７８】
同様に放熱部７も、接着剤を用いてペルチェユニット６に固定されている。
【０２７９】
接着剤は、温度が低い冷却の繰り返しや１０年以上といった長期使用による劣化によって剥がれる懸念がある。そこで、仮に接着剤の効力が低くなった場合でも、冷却部８が落下することなく、継続してペルチェユニット６に確実に接して、冷却フィン８ｂの温度を低下できるようにするために、冷却部保持枠６３（図９、図１５）を設けて冷却部を放熱部に固定した。
【０２８０】
樹脂製の冷却部保持枠６３は、上部に爪６４を二つ備えて放熱部７のフィン上面とベース板で形成される隙間にひっかけることができる。
【０２８１】
また、冷却部保持枠６３は、冷却部８の一部であって冷却フィン８ｂが無いベース板８ａの左右端をおさえる。
【０２８２】
また、冷却部保持枠６３は、下部に爪６４を二つ備えて放熱部７のフィン下面とベース板で形成される隙間にひっかけることができる。
【０２８３】
従って、冷却部８は冷却部保持枠６３を介して放熱部７に背負われて、上下左右で固定される。そのため、接着剤強度に関係なく、落下することも、また位置がずれることもなく、長期に渡って性能を発揮することができる。
【０２８４】
また、ネジなどで固定する場合に比べて、冷却部保持枠６３は熱伝導性が悪いので、放熱部７の熱が冷却部８に伝わり難く、吸熱性能を著しく落とすことがない。
【０２８５】
別の方法として、水供給部保持枠６０から水平方向に突出した棒または板を冷却部保持枠６３として冷却部８の下部まで延ばして設置しても良いし、水印加電極保持枠７０から垂直方向に突出した棒または板を冷却部保持枠６３として冷却部８の下部まで延ばして設置しても良い。
【０２８６】
また、水供給部保持枠６０から突出した棒または板で冷却部８のベース板などの端部を応力によって押さえ込んでも良い。冷却部８の冷却フィン８ｂが水平方向に突出しておらず、重力方向に突出している場合には、下方から延出した棒または板によって支えても良い。冷却部８に対向する樹脂部材から突出する棒状または板状の枠を、冷却部８の一部に当てることで、冷却部８が水印加電極２側に落下するリスクを抑制でき、異常な放電を回避しながら、長期に渡って水を得ることができる。
【０２８７】
なお、熱交換器５１の風上側に静電霧化装置１００〜５００のいずれかを設置するにあたって、いずれの場合であっても、冷却フィン８ｂや放熱部７のフィンの積層方向が空気調和機５０本体の左右方向となるように配置するのがよい。これにより吸い込み口４１からの吸い込み空気流が、フィン（冷却フィン８ｂや放熱部７のフィン）に沿って流れるようになって放熱部７の放熱が促進され、冷却部８へスムーズに風が流れて冷却フィン８ｂ上で結露量が増加する。
【０２８８】
また、フィン容積を増加する場合には、幅方向（図９）に伸ばせばよく、製造が容易な短いフィン高さのまま実現することができ、全体の奥行きを増やすことなく少ないスペースに設置できる。
【０２８９】
放熱部７は、熱交換器５１に対向した位置に略平行に配置される。この時、所定の隙間Ｌ８（図２８参照）を空けることで、放熱部７に対する熱交換器５１の暖房時に起こる熱影響を少なくすることができる。熱影響を受けると放熱部７での放熱がされにくくなり、冷却部８での冷却能力が下がってしまう。
【０２９０】
また、所定の隙間Ｌ８を空けることで、対向電極３から熱交換器５１に対して、異常な放電が起こることも無い。熱交換器５１に略平行に配置することで、局所的な影響を受けにくくなる。所定の距離Ｌ８は、少なくとも４ｍｍ以上として好適であり距離が大きいほど影響は少ないが、スペース性を考慮して決定する。
【０２９１】
吸い込み口４１からの吸い込み空気流は、熱交換器５１に近いほど風速が早い。前面下部熱交換器５１ｂの風上側に、厚み１０〜３０ｍｍ前後の静電霧化装置１００〜５００のいずれかを前面下部熱交換器５１ｂと４〜１０ｍｍ程度の距離をおいて設置した場合、前面下部熱交換器５１ｂの近傍の風速は、前面パネル４６に近い側に比べて２倍程度早い。
【０２９２】
また、背面熱交換器５１ｃの風上側に設置した場合も同様に、背面熱交換器５１ｃの近傍の風速は、背面カバー４７に近い側に比べて２倍程度早い。
【０２９３】
放熱部７が熱交換器５１と向き合うように配置した方が、放熱部７を通過する空気（室内吸い込み空気）流の流量が多くなり、放熱がより促進されてよい。
【０２９４】
また、冷却部８が熱交換器５１から遠く、前面パネル４６または背面カバー４７に近い側に配置された方が、冷却部８を通過する空気（室内吸い込み空気）流の流量を放熱部７に比べて抑制することができ、吸熱能力を冷却部８の通過風が奪うことなく、冷却フィン８ｂの温度を露点以下まで下げることができる。
【０２９５】
更に、放熱部７は風がよく通るように空気中に露出していて、冷却部８は過度の空気流入を防止するために水供給部保持枠６０で覆われ、冷却フィン８ｂの風上にあって幅方向に一つまたは複数個設けられた空気量調整穴６１によって通過風速および通過風量を制御している。
【０２９６】
このように構成することで、放熱部７の容積を抑えて省スペース性を損なわずに、充分に放熱することができ、冷却部８の温度を充分に低下させて暖房時のような乾燥条件でも結露水を得ることができる。
【０２９７】
この効果は、前面上部熱交換器５１ａの風上側に静電霧化装置１００〜５００のいずれかを設置した場合にも得ることができるが、前面上部熱交換器５１ａの風上側では冷却部８を通過する風が速いため、より空気量調整穴６１の開口を小さくする必要がある。空気量の調整は、風速を低下させて風量を低下させることが目的であるので、空気量調整穴６１である必要はなく、邪魔となるリブなどを設けて空気量を調整しても良い。
【０２９８】
これまで、多孔質体からなる水印加電極２は、水を受け取るための胴部２８と、胴部２８に接続される先端霧化部２９とで構成されることを説明してきたが、胴部２８と先端霧化部２９を一体に同じ材質で形成した方が水の移動が円滑であるが、一体である必要はなく、胴部２８を水を受けるための保水部として、保水部に複数の先端霧化部２９を差し込むなど接続して使用しても、先端霧化部２９が水搬送能を有していれば問題はなく、本実施の形態で説明してきた種々の効果を得ることができる。
【０２９９】
また、静電霧化装置１００〜５００の天面方向にブラシやパッドを設けた自動フィルター清掃装置（図示せず）、もしくは自動フィルター清掃装置によって掻き取られたホコリを収納するダストボックス（図示せず）がある場合には、静電霧化装置１００〜５００にホコリが重力落下してしまう可能性があるため、静電霧化装置１００〜５００の天面に水供給部（放熱部７、ペルチェユニット６、冷却部８）を覆うようにホコリ受けを設けると良い。
【０３００】
また、放熱部７を熱交換器５１と向き合わせて配置する場合、静電霧化装置１００、静電霧化装置３００（変形例３）、静電霧化装置４００（変形例４）、静電霧化装置５００のいずれかであれば、図７に示す静電霧化装置１５０（変形例１）と同様に、先端霧化部２９を胴部２８の放熱部７側の長辺方向側面上に、冷却フィン８ｂの突出方向とは反対方向に突出するように設ければ、放熱部７を通過する流量の多い空気流にのせて静電ミスト１を吹き出し口４２まで素早く確実に導くことができる。
【０３０１】
それにより、吹き出し口４２からの多くの静電ミスト１の放出を、空気調和機５０の運転開始から短時間で実施できる。なお、この場合静電ミスト１の生成部分の上方には、図６に示すように庇３０ａを設置して、静電ミスト１の生成部分への放熱部７を通った空気流の通過を抑制した方がよい。また、垂直壁３０ｂを設置して、静電ミスト１の生成部分への冷却部８を通った空気流の通過を抑制した方がよい。
【０３０２】
そして、水印加電極２を還元性のある金属、特にチタンを素材とする発泡金属で形成することにより、放電により生成されるオゾンの発生量を抑制できるので、吹き出し口４２から調和空気とともにオゾンが吹き出され、ユーザが異臭と感じたり、保湿効果を要求するユーザの人体に酸化作用を及ぼしたりすることがない。
【０３０３】
また、上記したように、放電に伴ってラジカル（活性種）が生成されたとしても、短寿命であって消滅してしまうので、吹き出し口４２からラジカルが吹き出されることはなく、吹き出される静電ミスト１にラジカルが含まれることもないので、保湿効果を要求するユーザの人体にラジカルが酸化作用を及ぼすことはない。帯電してはいるが、ナノメータサイズの純粋な水が、ユーザの肌に浸透するので、肌に悪影響を与えることなく、保湿効果を高められる。
【０３０４】
また、静電霧化装置１００〜５００のいずれかにより生成される静電ミスト１は、この静電霧化装置が搭載される空気調和機５０が設置される室内の空気中の水分を原料としているので、すなわち、室内空気中の水分を結露させ、それを霧化して室内に放出しているものであるので、室内の絶対湿度が上昇することがない。そのため、室内の壁や窓に放出された静電ミスト１に起因した結露が生じることがない。よって、結露による室内の壁等のカビの発生を回避しながら、人の肌水分の蒸発を抑制し、肌表皮水分量を増加させることが可能となる。
【０３０５】
また、空気調和機５０の送風ファン４３を用いて、水供給部のペルチェユニット６に室内空気を供給し、そこで静電ミスト１となる結露水を得るとともに、かつ吹き出し口４２からの調和空気の吹き出し流に搬送させて、室内に静電ミスト１を提供（放出）するので、静電霧化装置専用のファンを別途に設ける必要がなく、静電霧化装置の構造をシンプル化し、少スペースにも設置できる静電霧化装置とすることができる。
【０３０６】
なお、静電霧化装置１００〜５００において、水印加電極２の材料として三次元網目構造を有する発泡金属を用いてきたが、例えば、水を毛細管現象で搬送するセラミックや非発泡の一般的な焼結金属、樹脂発泡体など他の多孔質体を用いて水印加電極２を形成しても、発泡金属を用いることによる種々の効果は得られないが、上記した水印加電極２（胴部２８と先端霧化部２９）の形状や構成、冷却部８（水供給部）と水印加電極２との位置関係、水印加電極２の設置角度や冷却部８の設置角度による、冷却部８で生成された水を無駄なく素早く先端霧化部２９へ導き、安定して多くの量の静電ミスト１を発生させることができる、という効果は得ることができる。
【０３０７】
前述した実施の形態の静電霧化装置と空気調和機の特徴は以下のとおりである。
【０３０８】
前述した実施の形態の静電霧化装置は、
ペルチェユニットと、前記ペルチェユニットの冷却面に接する冷却部と、前記ペルチェユニットの放熱面に接する放熱部と、を有し、前記冷却部に結露した水を前記冷却部から重力方向に滴下する水供給部と、
多孔質体から形成され、前記水供給部から滴下された前記水を受け取り、高電圧が印加されることで前記水を先端霧化部で霧化させる水印加電極と、を備えた静電霧化装置であって、
前記冷却部の左右幅は、前記放熱部の左右幅より小さく、
前記放熱部は、前記放熱部の前記冷却部側に放熱露出部を有し、
前記冷却部の左右両側に、流入する風の方向と平行に前記冷却部と前記放熱露出部とを隔離する遮断壁を設けたことを特徴とする。
【０３０９】
前述した実施の形態の静電霧化装置は、
前記放熱部の前記冷却部側の前記放熱露出部に、熱交換を抑制する熱交換抑制カバーを設けたことを特徴とする。
【０３１０】
前述した実施の形態の静電霧化装置は、
ペルチェユニットと、前記ペルチェユニットの冷却面に接する冷却部と、前記ペルチェユニットの放熱面に接する放熱部と、を有し、前記冷却部に結露した水を前記冷却部から重力方向に滴下する水供給部と、
多孔質体から形成され、前記水供給部から滴下された前記水を受け取り、高電圧が印加されることで前記水を先端霧化部で霧化させる水印加電極と、を備えた静電霧化装置であって、
前記ペルチェユニットに接着剤で固定された前記冷却部の容積は、前記放熱部の容積に比べて小さく、
前記冷却部の端部は、樹脂製の冷却部保持枠によって保持され、
前記冷却部保持枠は、前記放熱部に背負われていることを特徴とする。
【０３１１】
前述した実施の形態の静電霧化装置は、
ペルチェユニットと、前記ペルチェユニットの冷却面に接する冷却部と、前記ペルチェユニットの放熱面に接する放熱部と、を有し、前記冷却部に結露した水を前記冷却部から重力方向に滴下する水供給部と、
多孔質体から形成され、前記水供給部から滴下された前記水を受け取り、高電圧が印加されることで前記水を先端霧化部で霧化させる水印加電極と、を備えた静電霧化装置であって、
前記ペルチェユニットに接着剤で固定された前記冷却部の容積は、前記放熱部の容積に比べて小さく、
前記冷却部に対向する樹脂部材から突出する棒または板を、前記冷却部の一部に押し当てたことを特徴とする。
【０３１２】
前述した実施の形態の静電霧化装置は、
ペルチェユニットと、前記ペルチェユニットの冷却面に接する冷却部と、前記ペルチェユニットの放熱面に接する放熱部と、を有し、前記冷却部に結露した水を前記冷却部から重力方向に滴下する水供給部と、
多孔質体から形成され、前記水供給部から滴下された前記水を受け取り、高電圧が印加されることで前記水を先端霧化部で霧化させる水印加電極と、を備えた静電霧化装置であって、
前記水印加電極は、前記水供給部から前記水を受け取って、前記水を前記先端霧化部に搬送する胴部と、前記胴部の側面から突出するように前記胴部に接続される突起である前記先端霧化部と、を有し、
前記水印加電極の前記水供給部に面した上面側の孔径または開口率を下面側の孔径または開口率より大きくしたことを特徴とする。
【０３１３】
前記胴部の厚みは、前記先端霧化部の厚みと等しく、前記先端霧化部の先端は上端と下端に角部を有することを特徴とする。
【０３１４】
前記胴部の厚みは、前記先端霧化部の厚みと等しく、前記胴部の短辺方向幅と、前記先端霧化部の突出高さと、を等しくするとともに、
前記胴部が有する二つの短辺を、長辺の垂線に対する角度の合計が、前記先端霧化部が有する三角辺がなす角度と等しくなるように切断することを特徴とする。
【０３１５】
前記胴部は下面側を保持枠に固定されるとともに、前記胴部の上面側は前記水印加電極のバリ面とし、前記保持枠を前記胴部の下面側から上面側に向かって傾斜しながら広げる、もしくは、前記胴部の上面側と前記保持枠の間に隙間を設けたこと特徴とする。
【０３１６】
前記胴部は上下方向から絶縁物によって位置が固定され、上方向から前記胴部を押さえる前記絶縁物は、前記胴部の上面側が有する角部が隠れるように、前記角部近傍を押さえることを特徴とする。
【０３１７】
前述した実施の形態の空気調和機は、
室内空気を吸い込む吸い込み口と、
調和空気を室内へ吹き出す吹き出し口と、
前記調和空気を生成する熱交換器と、
前記静電霧化装置と、を備え、
前記吹き出し口から前記調和空気とともに、前記静電霧化装置が生成した静電ミストを室内に放出することを特徴とする。
【符号の説明】
【０３１８】
１  静電ミスト、２  水印加電極、３  対向電極、３ａ  開口、３ｂ  リード線、３ｃ  ネジ、４  高電圧電源部、５  低電圧電源部、６  ペルチェユニット、６ａ  リード線、７  放熱部、７ａ  放熱露出部、８  冷却部、８ａ  ベース板、８ｂ  冷却フィン、１０  結露水、２１  気孔、２２  金属部、２５  給電端子、２５ａ  リード線、２６  開口、２７  開口、２８  胴部、２９  先端霧化部、２９ａ  先端、２９ｂ  バリ、３０  風防止壁、３０ａ  庇、３０ｂ  垂直壁、４０  ドレンパン、４１  吸い込み口、４２  吹き出し口、４３  送風ファン、４４  左右風向板、４５  上下風向板、４６  前面パネル、４７  背面カバー、５０  空気調和機、５１  熱交換器、５１ａ  前面上部熱交換器、５１ｂ  前面下部熱交換器、５１ｃ  背面熱交換器、６０  水供給部保持枠、６０ａ  冷却部収納部、６０ｂ  放熱部収納部、６０ｃ  リード線口出し部、６１  空気量調整穴、６２  遮断壁、６３  冷却部保持枠、６４  爪、７０  保持枠、７０ａ  格子、７０ｂ  対向電極保持部、８０  センサー、８１  サーモパイル、１００  静電霧化装置、１５０  静電霧化装置、２００  静電霧化装置、３００  静電霧化装置、４００  静電霧化装置、５００  静電霧化装置。
【図１】
0005627639.tif 000002
【図２】
0005627639.tif 000003
【図３】
0005627639.tif 000004
【図４】
0005627639.tif 000005
【図５】
0005627639.tif 000006
【図６】
0005627639.tif 000007
【図７】
0005627639.tif 000008
【図８】
0005627639.tif 000009
【図９】
0005627639.tif 000010
【図１０】
0005627639.tif 000011
【図１１】
0005627639.tif 000012
【図１２】
0005627639.tif 000013
【図１３】
0005627639.tif 000014
【図１４】
0005627639.tif 000015
【図１５】
0005627639.tif 000016
【図１６】
0005627639.tif 000017
【図１７】
0005627639.tif 000018
【図１８】
0005627639.tif 000019
【図１９】
0005627639.tif 000020
【図２０】
0005627639.tif 000021
【図２１】
0005627639.tif 000022
【図２２】
0005627639.tif 000023
【図２３】
0005627639.tif 000024
【図２４】
0005627639.tif 000025
【図２５】
0005627639.tif 000026
【図２６】
0005627639.tif 000027
【図２７】
0005627639.tif 000028
【図２８】
0005627639.tif 000029
【図２９】
0005627639.tif 000030
【図３０】
0005627639.tif 000031
【図３１】
0005627639.tif 000032